(57)【特許請求の範囲】
【請求項１】
建物内でのエアコン使用による消費電力量削減のために用いられる情報を表示する省エネルギー情報提供システムであって、
該省エネルギー情報提供システムを統括するサーバコンピュータは、
前記建物の前記エアコンが設置された部屋の室内温度、前記エアコンの設定温度及び前記エアコンの消費電力量を所定時間毎に測定した実績室内温度、実績設定温度及び実績消費電力量の値を、前記エアコン起動から、前記室内温度が前記設定温度に到達するまでの間について、取得する実績値取得手段と、
取得した前記所定時間毎の前記実績室内温度、前記実績設定温度及び前記実績消費電力量の値を用いて、前記エアコン起動から前記実績室内温度が前記実績設定温度に到達するまでの実績必要時間及び実績合計消費電力量を算出する手段と、
算出された前記実績必要時間及び前記実績合計消費電力量と、算出に用いた前記実績室内温度及び前記実績設定温度のうち前記エアコン起動時の値とを、紐付けして、過去の実績を示す基本データとして格納する基本データ記憶手段と、
前記エアコンが起動されたことを検知したときに、前記エアコン起動時の前記室内温度及び前記設定温度を取得する起動時温度取得手段と、
取得した前記起動時の前記室内温度及び前記設定温度をキーとして前記基本データ記憶手段を検索し、前記基本データ記憶手段から、前記実績室内温度及び前記実績設定温度が、前記起動時の前記室内温度及び前記設定温度と、同一または近似である前記基本データを抽出し、抽出した該基本データから前記実績必要時間及び／又は前記実績合計消費電力量を取得する予想値取得手段と、
取得した前記実績必要時間及び／又は前記実績合計消費電力量を、前記エアコン起動から前記室内温度が前記設定温度に到達するまでにかかると予想される予想必要時間及び／又は予想合計消費電力量として、表示パネルに表示する予想表示手段と、を備えることを特徴とする省エネルギー情報提供システム。
【請求項２】
前記サーバコンピュータは、
前記起動時の前記室内温度から所定温度を減算して、前記エアコン起動時に窓を開けたと仮定した場合の窓開け後仮定室内温度を算出する仮定室内温度算出手段と、
前記仮定室内温度と、前記起動時の前記設定温度をキーとして、前記基本データ記憶手段を検索し、前記基本データ記憶手段から、前記実績室内温度及び前記実績設定温度が、前記仮定室内温度及び前記起動時の前記設定温度と、同一または近似である前記基本データを抽出し、抽出した該基本データから、前記実績合計消費電力量を、前記エアコン起動時に窓を開けたと仮定した場合の窓開け後仮定合計消費電力量として取得する仮定値取得手段と、
前記予想合計消費電力量から、前記窓開け後仮定合計消費電力量を引いた差を、エアコン起動時に窓を開けたと仮定した場合に節約できる省電力量として、表示パネルに表示する省電力量表示手段と、を備えることを特徴とする請求項１に記載の省エネルギー情報提供システム。
【請求項３】
前記仮定室内温度算出手段は、前記起動時の前記室内温度から所定温度を減算して算出する代わりに、前記エアコン起動時の外気温度を前記窓開け後仮定室内温度とすることを特徴とする請求項２に記載の省エネルギー情報提供システム。
【請求項４】
前記サーバコンピュータは、
前記エアコンの稼働中において、前記室内温度が前記設定温度に到達したことを検知したときに、前記基本データ記憶手段に前記エアコンについて格納された最新の前記基本データに含まれる前記エアコンの前記実績合計消費電力量を抽出することにより、前記エアコン起動から前記室内温度が前記設定温度に到達した時点までの間における前記エアコンの合計消費電力量を、取得する手段と、
該手段で取得した前記合計消費電力量と、前記予想合計消費電力量とを比較して、前記表示パネルに表示する結果表示手段と、を備えることを特徴とする請求項１に記載の省エネルギー情報提供システム。
【請求項５】
前記起動時温度取得手段の代わりに、前記エアコン停止中の停止中室内温度と、前記エアコンが停止される直前の直前設定温度とを取得する停止中温度取得手段を備え、
前記予想値取得手段では、取得した前記停止中室内温度及び前記直前設定温度をキーとして前記基本データ記憶手段を検索し、前記基本データ記憶手段から、前記実績室内温度及び前記実績設定温度が、前記停止中室内温度及び前記直前設定温度と同一または近似である前記基本データを抽出し、該基本データから前記実績必要時間及び／又は前記実績合計消費電力量を取得することを特徴とする請求項１に記載の省エネルギー情報提供システム。
【請求項６】
前記実績値取得手段は、前記所定時間毎の前記実績室内温度、前記実績設定温度及び前記実績消費電力量と共に、前記所定時間毎の前記建物の外気温度を実績外気温度として取得し、
前記基本データ記憶手段は、前記エアコン起動時の前記実績室内温度及び前記実績設定温度と共に、前記エアコン起動時の前記実績外気温度を紐付けして格納し、
起動時温度取得手段では、前記起動時点の前記室内温度及び前記設定温度と共に、前記エアコン起動時点の前記外気温度を含み、
前記予想値取得手段では、前記基本データ記憶手段から、前記実績外気温度、前記実績室内温度及び前記実績設定温度が、前記起動時の前記外気温度、前記室内温度及び前記設定温度と、同一または近似する前記基本データを抽出することを特徴とする請求項１に記載の省エネルギー情報提供システム。
【請求項７】
建物内でのエアコン使用による消費電力量削減のために用いられる情報を表示する省エネルギー情報提供方法であって、
サーバコンピュータが、
前記建物の前記エアコンが設置された部屋の室内温度、前記エアコンの設定温度及び前記エアコンの消費電力量を所定時間毎に測定した実績室内温度、実績設定温度及び実績消費電力量の値を、前記エアコン起動から、前記実績室内温度が前記実績設定温度に到達するまでの間について、取得する実績値取得手順と、
取得した前記所定時間毎の前記実績室内温度、前記実績設定温度及び前記実績消費電力量の値を用いて、前記エアコン起動から前記室内温度が前記設定温度に到達するまでの実績必要時間及び実績合計消費電力量を算出する手順と、
算出された前記実績必要時間及び前記実績合計消費電力量と、算出に用いた前記実績室内温度及び前記実績設定温度のうち前記エアコン起動時の値とを紐付けして、過去の実績を示す基本データとして基本データ記憶手段に格納する基本データ格納手順と、
前記エアコンが起動されたことを検知したときに、前記エアコン起動時の前記室内温度及び前記設定温度を取得する起動時温度取得手順と、
取得した前記起動時の前記室内温度及び前記設定温度をキーとして前記基本データ記憶手段を検索し、前記基本データ記憶手段から、前記実績室内温度及び前記実績設定温度が、前記起動時の前記室内温度及び前記設定温度と、同一または近似である前記基本データを抽出し、抽出した該基本データから前記実績必要時間及び／又は前記実績合計消費電力量を取得する予想値取得手順と、
取得した前記実績必要時間及び／又は前記実績合計消費電力量を、前記エアコン起動から前記室内温度が前記設定温度に到達するまでにかかると予想される予想必要時間及び／又は予想合計消費電力量として、表示パネルに表示する予想表示手順と、を行うことを特徴とする省エネルギー情報提供方法。
【請求項８】
前記サーバコンピュータが、前記基本データ格納手順以降の任意の段階で、
前記起動時の前記室内温度から所定温度を減算して、前記エアコン起動時に窓を開けたと仮定した場合の窓開け後仮定室内温度を算出する仮定室内温度算出手順と、
前記仮定室内温度と、前記起動時の前記設定温度をキーとして、前記基本データ記憶手段を検索し、前記基本データ記憶手段から、前記実績室内温度及び前記実績設定温度が、前記仮定室内温度及び前記起動時の前記設定温度と、同一または近似である前記基本データを抽出し、抽出した該基本データから、前記実績合計消費電力量を、前記エアコン起動時に窓を開けたと仮定した場合の窓開け後仮定合計消費電力量として取得する仮定値取得手順と、
前記予想合計消費電力量から、前記窓開け後仮定合計消費電力量を引いた差を、エアコン起動時に窓を開けたと仮定した場合に節約できる省電力量として、前記表示パネルに表示する省電力量表示手順と、を行うことを特徴とする請求項７に記載の省エネルギー情報提供方法。
【請求項９】
前記仮定室内温度算出手順は、前記起動時の前記室内温度から所定温度を減算して算出する代わりに、前記エアコン起動時の外気温度を前記窓開け後仮定室内温度とすることを特徴とする請求項８に記載の省エネルギー情報提供方法。
【請求項１０】
前記サーバコンピュータが、前記基本データ格納手順以降の任意の段階で、
前記エアコンの稼働中において、前記室内温度が前記設定温度に到達したことを検知したときに、前記基本データ記憶手段に前記エアコンについて格納された最新の前記基本データに含まれる前記エアコンの前記実績合計消費電力量を抽出することにより、前記エアコン起動から前記室内温度が前記起動時の前記設定温度に到達した時点までの間における前記エアコンの合計消費電力量を、取得する手順と、
該手段で取得した前記合計消費電力量と、前記予想合計消費電力量とを比較して、前記表示パネルに表示する結果表示手順と、を行うことを特徴とする請求項７に記載の省エネルギー情報提供方法。
【発明の詳細な説明】
【技術分野】
【０００１】
本発明は省エネルギー情報提供システム及び省エネルギー情報提供方法に係り、特に、エア・コンディショナー（以下、「エアコン」とする）の使用による消費電力量を削減するために有効な情報を、タイミング良くユーザに通知する省エネルギー情報提供システム及び省エネルギー情報提供方法に関する。
【背景技術】
【０００２】
従来より、エアコンの運転による消費電力や電気代を定期的に算出し、算出したこれらの情報をエアコンのユーザに通知することにより、ユーザに省エネルギーを促すシステムが知られている（例えば、特許文献１参照）。
【０００３】
特許文献１の空気調和機の管理システムでは、ユーザは、エアコンにかかってもよい一ヶ月の目標電気代を携帯端末で設定し、携帯電話会社を通じてセンターサーバへ送信する。一方、エアコン運転中にエアコン自体で随時検出される電流値の情報は、エアコンからインターネットを経由して、センターサーバへ随時送信される。センターサーバは、電流値の情報を受信すると、予め設定されたエアコン電源電圧、力率から、消費電力を算出し、これをもとにエアコンの運転にかかる電気代を算出する。算出された電気代が、ユーザが設定した目標電気代等を超えた場合には、携帯端末にメールを送信し、電気代が超えたことをお知らせする。
【０００４】
また、エアコンの運転にかかった毎日の電気代、一ヶ月間の積算電気代を、センターサーバからインターネットを経由してユーザの家庭用ＰＣに送信し、閲覧可能にする。
この特許文献１に記載された発明によれば、情報を受信したユーザは、運転設定条件として、設定温度の上げ下げ、設定湿度の上げ下げ、運転モードの変更、さらには送風量や風向を変えて涼感省エネ運転を行うなど、省エネ運転を促進することができ、また、空調にかかる電気代費用を把握して計画的な空調管理運用ができるという効果を奏する。
【先行技術文献】
【特許文献】
【０００５】
【特許文献１】特開２００６−９７９４１号公報（段落０００８、００１０、００１７、００１８、図８、図９、図１２）
【発明の概要】
【発明が解決しようとする課題】
【０００６】
しかし、特許文献１等従来の空気調和機の管理システムは、エアコンにかかった過去の電気代等をユーザに表示するに過ぎないため、ユーザがこれから起動しようとしているエアコンの運転の仕方について、直接の情報を表示するものではなく、省エネルギーを促す訴求力に欠ける部分があった。
また、エアコン等の個々の機器のエネルギー使用量や電気代をユーザに閲覧可能に表示しているに過ぎないため、ユーザは、実際にどのようにして省エネルギーを図ればよいか、具体的に効果的な使い方を知ることができず、ユーザ自身で省エネルギー対策を考えださなければならないという問題があった。
【０００７】
本発明は、上記事情に鑑みてなされたものであって、その目的は、省エネルギー情報提供システム及び省エネルギー情報提供方法において、ユーザがこれから起動しようとしているエアコンの運転そのものについて、具体的な省エネルギーの方法をタイミング良く提示可能な省エネルギー情報提供システム及び省エネルギー情報提供方法を提供することにある。
【課題を解決するための手段】
【０００８】
前記課題は、請求項１に係る省エネルギー情報提供システムによれば、建物内でのエアコン使用による消費電力量削減のために用いられる情報を表示する省エネルギー情報提供システムであって、サーバコンピュータは、前記建物の前記エアコンが設置された部屋の室内温度、前記エアコンの設定温度及び前記エアコンの消費電力量を所定時間毎に測定した実績室内温度、実績設定温度及び実績消費電力量の値を、前記エアコン起動から、前記室内温度が前記設定温度に到達するまでの間について、取得する実績値取得手段と、取得した前記所定時間毎の前記実績室内温度、前記実績設定温度及び前記実績消費電力量の値を用いて、前記エアコン起動から前記実績室内温度が前記実績設定温度に到達するまでの実績必要時間及び実績合計消費電力量を算出する手段と、算出された前記実績必要時間及び前記実績合計消費電力量と、算出に用いた前記実績室内温度及び前記実績設定温度のうち前記エアコン起動時の値とを、紐付けして、過去の実績を示す基本データとして格納する基本データ記憶手段と、前記エアコンが起動されたことを検知したときに、前記エアコン起動時の前記室内温度及び前記設定温度を取得する起動時温度取得手段と、取得した前記起動時の前記室内温度及び前記設定温度をキーとして前記基本データ記憶手段を検索し、前記基本データ記憶手段から、前記実績室内温度及び前記実績設定温度が、前記起動時の前記室内温度及び前記設定温度と、同一または近似である前記基本データを抽出し、抽出した該基本データから前記実績必要時間及び／又は前記実績合計消費電力量を取得する予想値取得手段と、取得した前記実績必要時間及び／又は前記実績合計消費電力量を、前記エアコン起動から前記室内温度が前記設定温度に到達するまでにかかると予想される予想必要時間及び／又は予想合計消費電力量として、表示パネルに表示する予想表示手段と、を備えること、により解決される。
【０００９】
前記課題は、請求項７に係る省エネルギー情報提供方法によれば、建物内でのエアコン使用による消費電力量削減のために用いられる情報を表示する省エネルギー情報提供方法であって、サーバコンピュータが、前記建物の前記エアコンが設置された部屋の室内温度、前記エアコンの設定温度及び前記エアコンの消費電力量を所定時間毎に測定した実績室内温度、実績設定温度及び実績消費電力量の値を、前記エアコン起動から、前記実績室内温度が前記実績設定温度に到達するまでの間について、取得する実績値取得手順と、取得した前記所定時間毎の前記実績室内温度、前記実績設定温度及び前記実績消費電力量の値を用いて、前記エアコン起動から前記室内温度が前記設定温度に到達するまでの実績必要時間及び実績合計消費電力量を算出する手順と、算出された前記実績必要時間及び前記実績合計消費電力量と、算出に用いた前記実績室内温度及び前記実績設定温度のうち前記エアコン起動時の値とを紐付けして、過去の実績を示す基本データとして基本データ記憶手段に格納する基本データ格納手順と、前記エアコンが起動されたことを検知したときに、前記エアコン起動時の前記室内温度及び前記設定温度を取得する起動時温度取得手順と、取得した前記起動時の前記室内温度及び前記設定温度をキーとして前記基本データ記憶手段を検索し、前記基本データ記憶手段から、前記実績室内温度及び前記実績設定温度が、前記起動時の前記室内温度及び前記設定温度と、同一または近似である前記基本データを抽出し、抽出した該基本データから前記実績必要時間及び／又は前記実績合計消費電力量を取得する予想値取得手順と、取得した前記実績必要時間及び／又は前記実績合計消費電力量を、前記エアコン起動から前記室内温度が前記設定温度に到達するまでにかかると予想される予想必要時間及び／又は予想合計消費電力量として、表示パネルに表示する予想表示手順と、を行うこと、により解決される。
【００１０】
このように、エアコンが起動されたことを検知したときに、エアコン起動から室内温度が設定温度に到達するまでにかかると予想される予想必要時間及び／又は予想合計消費電力量を表示パネルに表示するため、エアコンを起動しようとしているユーザに、エアコン起動そのもの、及びエアコンの起動の仕方について、考える機会を与え、効果的に省エネルギーを促すことが可能となる。
エアコン稼働中において最も電力量消費の大きい、エアコン起動から室内温度が設定温度に到達するまでの間に限った予想合計消費電力量を表示するため、エアコン稼働中の全体に亘った消費電力量を表示する場合等と対比し、ユーザに、効率のよい省エネルギー活動を促すことが可能となる。
また、同じ建物の同一のエアコンを用いて取得した室内温度及び消費電力量の実績値である基本データを用いて、エアコン起動から室内温度が設定温度に到達するまでにかかると予想される予想必要時間、予想合計消費電力量を算出するため、一般的データを用いた予想値のように、建物の間取りやエアコンの個体差に左右されることがなく、正確な予想必要時間、予想合計消費電力量を算出、表示することが可能となる。
【００１１】
また、前記サーバコンピュータは、前記起動時の前記室内温度から所定温度を減算して、前記エアコン起動時に窓を開けたと仮定した場合の窓開け後仮定室内温度を算出する仮定室内温度算出手段と、前記仮定室内温度と、前記起動時の前記設定温度をキーとして、前記基本データ記憶手段を検索し、前記基本データ記憶手段から、前記実績室内温度及び前記実績設定温度が、前記仮定室内温度及び前記起動時の前記設定温度と、同一または近似である前記基本データを抽出し、抽出した該基本データから、前記実績合計消費電力量を、前記エアコン起動時に窓を開けたと仮定した場合の窓開け後仮定合計消費電力量として取得する仮定値取得手段と、前記予想合計消費電力量から、前記窓開け後仮定合計消費電力量を引いた差を、エアコン起動時に窓を開けたと仮定した場合に節約できる省電力量として、表示パネルに表示する省電力量表示手段と、を備えるように構成してもよい。
【００１２】
このように、エアコンが起動されたことを検知したときに、予想合計消費電力量から、窓開け後仮定合計消費電力量を引いた差を、エアコン起動時に窓を開けたと仮定した場合に節約できる省電力量として、表示パネルに表示するため、エアコン起動時に一旦窓を開ければエアコンの電力を省電力化できることを具体的にユーザに通知することができ、エアコン使用に関する省エネルギーの方法を具体的かつタイミングよく知らせることができる。
また、エアコン起動時に窓を開けたと仮定した場合の窓開け後仮定室内温度を、起動時の室内温度から所定温度を減算することにより算出するため、所定時間を種々の値に設定することにより、窓を十分な時間開放して室内温度を外気温度と同じかそれに近い温度まで下げた場合や、窓をごく短時間開けて少しだけ室内温度を下げた場合など、窓開けの時間及び窓開けによる室内温度低下の度合いを種々変えた場合について、予想される省エネルギー効果を表示可能となる。その結果、ユーザは、必ずしも長時間窓を開けて温度を完全に下げ切らなければならない訳ではないことが理解でき、エアコン使用時の省エネルギーに対するユーザの精神的負担を低減できる。
【００１３】
さらに、前記仮定室内温度算出手段は、前記起動時の前記室内温度から所定温度を減算して算出する代わりに、前記エアコン起動時の外気温度を前記窓開け後仮定室内温度とするようにしてもよい。
このように構成しているので、エアコン起動時に窓を開けたと仮定した場合の窓開け後仮定室内温度を、エアコン起動時の外気温度とするため、窓開けにより得られる最大の省エネルギー効果を、ユーザに通知することができる。その結果、窓開けにより最大どの程度省エネルギー化できるかをユーザに認識させることができ、省エネルギー活動の励みにすることが可能となる。
【００１４】
また、前記サーバコンピュータは、前記エアコンの稼働中において、前記室内温度が前記設定温度に到達したことを検知したときに、前記基本データ記憶手段に前記エアコンについて格納された最新の前記基本データに含まれる前記エアコンの前記実績合計消費電力量を抽出することにより、前記エアコン起動から前記室内温度が前記設定温度に到達した時点までの間における前記エアコンの合計消費電力量を、取得する手段と、該手段で取得した前記合計消費電力量と、前記予想合計消費電力量とを比較して、前記表示パネルに表示する結果表示手段と、を備えるように構成してもよい。
このように、実際にエアコンを稼働して室内温度が前記設定温度に到達したときの実際の合計消費電力量と、エアコン起動時に表示した予想合計消費電力量とを比較して、表示パネルに表示するので、エアコン起動時の表示を見て窓開け等の手段により省エネルギー化を図った場合には、実際にどの程度節約することができたかを、タイミング良くユーザに知らせることができ、ユーザの省エネルギー活動の励みにすることができる。
【００１５】
さらに、前記起動時温度取得手段の代わりに、前記エアコン停止中の停止中室内温度と、前記エアコンが停止される直前の直前設定温度とを取得する停止中温度取得手段を備え、前記予想値取得手段では、取得した前記停止中室内温度及び前記直前設定温度をキーとして前記基本データ記憶手段を検索し、前記基本データ記憶手段から、前記実績室内温度及び前記実績設定温度が、前記停止中室内温度及び前記直前設定温度と同一または近似である前記基本データを抽出し、該基本データから前記実績必要時間及び／又は前記実績合計消費電力量を取得してもよい。
【００１６】
このように、エアコンが稼働されていない停止中において、エアコン起動から室内温度が設定温度に到達するまでにかかると予想される予想必要時間及び／又は予想合計消費電力量を表示パネルに表示するため、例えば、エアコン停止中の室内温度が徐々に上がってきて、ユーザがエアコンを起動したくなるようなタイミングにおいて、ユーザに、エアコン起動そのもの、及びエアコンの起動の仕方について、考える機会を与え、省エネルギーを促すことが可能となる。
【００１７】
また、前記実績値取得手段は、前記所定時間毎の前記実績室内温度、前記実績設定温度及び前記実績消費電力量と共に、前記所定時間毎の前記建物の外気温度を実績外気温度として取得し、前記基本データ記憶手段は、前記エアコン起動時の前記実績室内温度及び前記実績設定温度と共に、前記エアコン起動時の前記実績外気温度を紐付けして格納し、起動時温度取得手段では、前記起動時点の前記室内温度及び前記設定温度と共に、前記エアコン起動時点の前記外気温度を含み、前記予想値取得手段では、前記基本データ記憶手段から、前記実績外気温度、前記実績室内温度及び前記実績設定温度が、前記起動時の前記外気温度、前記室内温度及び前記設定温度と、同一または近似する前記基本データを抽出するように構成してもよい。
【００１８】
このように構成することにより、室内温度だけでなく、エアコンの消費電力量に影響を及ぼす場合が多い外気温度も、予想必要時間及び予想消費電力量の見積もりのための条件とするため、より正確な予想必要時間及び予想消費電力量を取得可能となる。
【発明の効果】
【００１９】
本発明によれば、エアコンが起動されたことを検知したときに、エアコン起動から室内温度が設定温度に到達するまでにかかると予想される予想必要時間及び／又は予想合計消費電力量を表示パネルに表示するため、エアコンを起動しようとしているユーザに、エアコン起動そのもの、及びエアコンの起動の仕方について、考える機会を与え、効果的に省エネルギーを促すことが可能となる。
エアコン稼働中において最も電力量消費の大きい、エアコン起動から室内温度が設定温度に到達するまでの間に限った予想合計消費電力量を表示するため、エアコン稼働中の全体に亘った消費電力量を表示する場合等と対比し、ユーザに、効率のよい省エネルギー活動を促すことが可能となる。
また、同じ建物の同一のエアコンを用いて取得した室内温度及び消費電力量の実績値である基本データを用いて、エアコン起動から室内温度が設定温度に到達するまでにかかると予想される予想必要時間、予想合計消費電力量を算出するため、一般的データを用いた予想値のように、建物の間取りやエアコンの個体差に左右されることがなく、正確な予想必要時間、予想合計消費電力量を算出、表示することが可能となる。
【図面の簡単な説明】
【００２０】
【図１】本発明の実施形態に係る省エネルギー情報提供システムの全体構成図である。
【図２】本発明の実施形態に係るホームサーバのハード構成図である。
【図３】本発明の実施形態に係る温度センサを示す説明図である。
【図４】本発明の実施形態に係る回路テーブルである。
【図５】本発明の実施形態に係る基本データテーブルである。
【図６】本発明の実施形態に係る詳細データテーブルである。
【図７】本発明の実施形態に係る省エネルギー情報提供システムの全体フロー図である。
【図８】本発明の実施形態に係る省エネルギー情報提供システムにおけるエアコンの稼働状況、室内温度の推移と表示パネルの表示との関係を示す説明図である。
【図９】システムサーバが基本データテーブル、詳細データベースにデータを登録する処理を示すフローチャートである。
【図１０】システムサーバが、表示パネルにアドバイス等を表示する処理を示すフローチャートである。
【図１１】システムサーバが、表示パネルにアドバイス等を表示する処理を示すフローチャートである。
【図１２】本発明の実施形態に係るアドバイス表示画面を示す説明図である。
【図１３】システムサーバが、表示パネルにアドバイス等を表示する処理を示すフローチャートである。
【図１４】システムサーバが、表示パネルにアドバイス等を表示する処理を示すフローチャートである。
【発明を実施するための形態】
【００２１】
以下、本発明の実施形態について、図を参照して説明する。なお、以下に説明する構成は、本発明を限定するものではなく、本発明の趣旨に沿って各種改変することができることは勿論である。
本実施形態の省エネルギー情報提供システムは、建物内のエアコン２３の使用による消費電力量を削減するために有用な情報を表示パネル２２、２３Ｐに表示するシステムである。
なお、本実施形態では、夏にエアコン２３を冷房として使用する場合を例としているが、冬にエアコン２３を暖房として使用する場合も、エアコン２３により室内温度を上昇させる点が相違するのみで、基本的構成は同様である。
【００２２】
図１は、本実施形態の省エネルギー情報提供システムの全体構成図である。本実施形態の省エネルギー情報提供システムは、建物としてのユーザの住宅１０と、ユーザに省エネルギー情報を提供する情報提供会社５０との間で構築され、インターネット１と、住宅１０に設けられたホームサーバ２０と、表示パネル２２と、エアコン２３と、エアコンのリモコン２３Ｒと、分電盤３０と、情報提供会社５０に設けられたサーバコンピュータとしてのシステムサーバ６０と、端末コンピュータ８０と、を主要構成要素とする。
なお、本実施形態の省エネルギー情報提供システムは、情報提供会社５０に設けられたサーバコンピュータとしてのシステムサーバ６０により統括、運用されるが、これに限定されるものでなく、ユーザの住宅１０に設けられたホームサーバ２０で統括、運用してもよい。
【００２３】
本実施形態の住宅１０は、個人が居住する一戸建て住宅として構成されるが、そのほか、集合住宅、マンション、アパート、団体構成員用の寮等のいずれであってもよい。また、本実施形態では、企業や団体等所有のビル、工場、店舗等のその他の建物や、これらの建物のうち所定の個人又は法人が使用する一部分であってもよい。
住宅１０内には、家庭内ＬＡＮと呼ばれる各部屋を結ぶホームネットワーク２１が構築されており、このホームネットワーク２１には、図１に示すように、ホームサーバ２０と、表示パネル２２と、エアコン２３と、エアコン２３のリモコン２３Ｒと、住宅１０内外の温度を測定する温度センサ２４と、分電盤３０と、その他の各種電気機器が接続されている。
【００２４】
ホームサーバ２０は、ホームネットワーク２１内の情報を管理する装置であって、ホームネットワーク２１に接続された表示パネル２２、分電盤３０、エアコン２３、リモコン２３Ｒ等の機器のアドレスを管理すると共に、これらの機器と通信を行い、機器の状態などの情報を取得し、機器の状態を制御する機器管理機能を有する。ホームサーバ２０は、サーバコンピュータ、パーソナルコンピュータや、セットトップボックス等の専用装置、または、他の既存の機器に組み込まれるなどの形態にて実現される。
【００２５】
ホームサーバ２０のハード構成を図２に示す。
ホームサーバ２０は、データの演算・制御処理装置としてのＣＰＵ２０１、記憶装置であるＲＡＭ２０２、ＲＯＭ２０３、ＨＤＤ２０４及び記憶媒体装置２０５を備えている。
ＣＰＵ２０１は、ＲＯＭ２０３又はＨＤＤ２０４に記憶されているプログラムにしたがって各種の処理を実行するようになされている。
ＲＡＭ２０２には、ＣＰＵ２０１が各種の処理を実行する上において必要なデータなどが適宜記憶される。
【００２６】
ＨＤＤ２０４には、各分岐ブレーカ３２−１〜３２−ｎの電路の使用電力量のデータ、温度センサ２４が示す温度の値、エアコン設定温度の値等を取得するデータ収集プログラムが格納されている。
このデータ収集プログラムは、システムサーバ６０からの指令に基づいて各分岐ブレーカ３２−１〜３２−ｎの電路の使用電力量のデータ、温度センサ２４が示す温度の値、エアコン設定温度の値等を取得し、システムサーバ６０に送信する。
【００２７】
入力装置であるキーボード２０７とマウス２０８は、ＣＰＵ２０１に所定の指令を入力するとき適宜操作される。
さらに表示装置２０９、プリンタ２１０には、所定の書式で表示される情報、画像等が出力表示される。
【００２８】
記憶媒体装置２０５は、外付けハードディスク、光磁気ディスク、ＣＤ−Ｒ、ＤＶＤ、メモリスティックなどにより構成され、インターネット１又はホームネットワーク２１を介して送信されてきたデータを適宜記憶し、またこれを読み出すことができるようになされている。
【００２９】
通信装置２０６は、インターネット１又はホームネットワーク２１に対してデータを送信し、またインターネット１又はホームネットワーク２１を介して供給されたデータを受信するようになされている。通信装置２０６は、ホームネットワーク２１を介して表示パネル２２、エアコン２３のリモコン２３Ｒに表示する画面のデータを送信し、表示パネル２２、エアコン２３のリモコン２３Ｒで入力されたデータを受信する。
表示パネル２２は、住宅１０内のキッチン、リビングルーム、洗面所等の各所に設置され、ホームサーバ２０との間の送受信機能及びタッチパネルを備えたディスプレイである。なお、ホームサーバ２０の表示装置２０９を表示パネル２２として用いてもよい。
【００３０】
エアコン２３は、冷房機能を備えた家庭用のエア・コンディショナー（空気調和機）であって、リモコン（リモート・コントローラ）２３Ｒを用いて操作可能に構成されている。
リモコン２３Ｒは、電源のオンオフや温度調整をする各ボタンのほか、本実施形態の省エネルギー情報提供システムで提供されるユーザ向けアドバイス画面１００等を表示可能な液晶の表示パネル２３Ｐを備えている。
【００３１】
温度センサ２４は、住宅１０内外の温度を測定するためのもので、赤外線や赤外線の光量子を測定する公知の放射温度計等からなる公知の非接触式温度センサが用いられている。但し、接触式温度計を使用してもよい。
本実施形態の温度センサ２４は、図３に示すように、室内温度センサ２４ａ、外気温度センサ２４ｂの２個の温度センサで構成される。
室内温度センサ２４ａ、外気温度センサ２４ｂは、情報コンセントボックス２５に取付けられ、情報コンセントボックス２５と共に住宅１０内の適所に配設される。配設場所は、エアコン２３が設置されたリビング、ダイニング、和室、各寝室等の室内であれば特に限定されず、通常の住宅に配設される公知の情報コンセントボックス２５の配設場所と同様である。なお、一軒の住宅１０につき一箇所にのみ外気温度センサ２４ｂを設け、その他の配設場所には室内温度センサ２４ａのみ設けるようにしてもよい。
【００３２】
図３は、温度センサ２４を示す説明図である。図３では、温度センサからの出力ケーブル以外の他のケーブル類は図示を省略してある。
情報コンセントボックス２５は、樹脂製の板体からなる公知のコンセントプレート２６、本体２７、中空の円筒体からなる温度センサ支持体２８を主要構成とし、コンセントプレート２６には室内温度センサ２４ａ、温度センサ支持体２８には外気温度センサ２４ｂが設置される。なお、上述の温度センサ２４は一例であって、上述のような構成に限定されるものではない。
また、本実施形態では、温度センサ２４を用いて室内温度、外気温度を測定するが、室内温度を、エアコン２３に設けられた不図示の温度センサで測定してもよい。
【００３３】
コンセントプレート２６には、図示しない電話回線用及びＬＡＮケーブル接続用のモジュラージャック取付孔、室内温度センサ２４ａを取付ける取付孔２６ａが形成されている。取付孔２６ａには、室内温度センサ２４ａが配設され、室内温度センサ２４ａは、コンセントプレート２６の室内側の面にセンサ部を露出させた状態で配設される。
【００３４】
本体２７は、コンセントプレート２６側に開口面を有する筺体であり、内部にモジュラージャック及びケーブル類が収納されている。
また、外壁Ｗａ側の面２７ａの中央部付近には、室外温度センサ２４ｂの出力ケーブルである室外温度ケーブル２９ｃを本体２７内に引き込むための引き込み孔２７ｂが形成されている。
【００３５】
温度センサ支持体２８の一端は、引き込み孔２７ｂを覆う状態で、外壁Ｗａ側の面２７ａに固定される。すなわち、温度センサ支持体２８の中空部と引き込み孔２７ｂは連通した状態となるため、室外温度ケーブル２９ｃは、温度センサ支持体２８の中空部から、引き込み孔２７ｂを貫通して本体２７内部に引き込まれる。
また、他端である室外端部２８ａは、外壁Ｗａに設けられた取付孔より露出している。
外気温度センサ２４ｂは、室外端部２８ａよりセンサ部を露出させた状態で、温度センサ支持体２８の中空部内壁に固定されている。
【００３６】
室内温度センサ２４ａ及びモジュラージャックが取付けられたコンセントプレート２６は、外気温度センサ２４ｂを固定した温度センサ支持体２８が取付けられた本体２７の開口面を覆った状態で固定され、内壁Ｗｂに設けられた配設口にコンセントプレート２６が室内に露出する状態で設置される。
【００３７】
なお、情報コンセントボックス２５から引き出されるケーブル２９には、室内温度センサ２４ａの室内温度ケーブル２９ａ、室外温度センサ２４ｂの室外温度ケーブル２９ｃのほか、不図示の電話線、ＬＡＮケーブルが含まれる。
また、室内温度センサ２４ａのみを設置する場合は、図３に示す情報コンセントボックス２５内に外気温度センサ２４ｂを含まない状態のものが設置される。
【００３８】
分電盤３０には、図１に示すように、主幹ブレーカ３１と、複数の分岐ブレーカ３２−１〜３２−ｎと、計測された電流値に基づき使用電力量を各分岐ブレーカ３２−１〜３２−ｎについて演算するＣＰＵ３６と、ＣＰＵ３６で演算された使用電力量を記憶する記憶手段３７が設置されている。
【００３９】
主幹ブレーカ３１は、公知の住宅用主幹ブレーカからなり、外部から住宅１０に供給される商用電源及び不図示の太陽光発電装置で発電された電源を一次側に受ける。
分岐ブレーカ３２−１〜３２−ｎは、公知の住宅用分岐ブレーカからなり、主幹ブレーカ３１の二次側から分岐した電路に介挿されており、住宅１０内の電気機器、エアコン２３に動作電源を供給する。
分岐ブレーカ３２−１〜３２−ｎはそれぞれ、各分岐ブレーカ３２−１〜３２−ｎの電路の電流を計測する電流センサ３３−１〜３３−ｎと、各分岐ブレーカ３２−１〜３２−ｎにそれぞれ設けられた不図示のアドレス識別物からアドレス情報を読み取るアドレス検出部３４−１〜３４−ｎと、電流センサ３３−１〜３３−ｎの電流値をアドレス検出部３４−１〜３４−ｎで読み取ったアドレス情報と共に記憶手段３７に送信する処理部３５−１〜３５−ｎが設けられている。
【００４０】
電流センサ３３−１〜３３−ｎは、公知の電流センサであって、それぞれが各分岐ブレーカ３２−１〜３２−ｎの電路の電流を計測する。
アドレス検出部３４−１〜３４−ｎは、特開２００８−２２８３７９号公報等に記載の公知の構成からなり、分岐ブレーカ３２−１〜３２−ｎの外壁面に設けられた不図示のアドレス識別物の複数の突起の配列及び高さを検知することにより、アドレスを検出可能に構成されている。なお、ここでいうアドレスは、分電盤３０内において各分岐ブレーカ３２−１〜３２−ｎを一意に識別可能なアドレスをいう。
【００４１】
不図示のアドレス識別物は、複数の突起を備え、これらの突起はそれぞれ、２種類の高さのうちいずれかの高さとして形成されている。各分岐ブレーカ３２−１〜３２−ｎのアドレスは、高い突起と低い突起の配列により特定されている。
アドレス検出部３４−１〜３４−ｎは、アドレス識別物の各突起に対応する位置に、複数の押しボタンを備えており、アドレス識別物をアドレス検出部３４−１〜３４−ｎに対向させて固定することにより、高い突起に対向する押しボタンが押されて、アドレス識別物の突起の配列を検知可能に構成されている。
【００４２】
分岐ブレーカ３２−１〜３２−ｎの回路設計を示す回路テーブルを図４に示す。
分岐ブレーカ３２−１〜３２−ｎの回路設計は、住宅１０の新築時又はリフォーム時等に、施主の希望を聞きながら設計者が行う。
図４の回路テーブルにおいて、左端の分岐ブレーカアドレス欄は、アドレス検出部３４−１〜３４ｎによって読み取られた各分岐ブレーカ３２−１〜３２−ｎのアドレスを示し、階数欄、室名欄は、各分岐ブレーカ３２−１〜３２−ｎに接続される回路の階数及び室名、回路欄は、各分岐ブレーカ３２−１〜３２−ｎに接続される回路の用途を示している。
【００４３】
記憶手段３７には、電流センサ３３−１〜３３−ｎの電流計測値と、不図示の電圧センサで計測される電圧計測値から、各分岐ブレーカ３２−１〜３２−ｎの電路の所定時間毎、本実施形態では１分毎の使用電力量を演算するプログラムが格納されている。また、電流センサ３３−１〜３３−ｎの電流計測値を記憶する電流量記憶部、使用電力量を演算するプログラムを用いて演算された所定時間毎、本実施形態では１分毎の各分岐ブレーカ３２−１〜３２−ｎの電路の使用電力量を一時的に記憶する使用電力量記憶部を備える。
この記憶手段に記憶された所定時間、本実施形態では１分毎の各分岐ブレーカ３２−１〜３２−ｎの電路の使用電力量と、図４の回路テーブルにおける分岐ブレーカ３２−１〜３２−ｎのアドレスと各回路（用途）とから、各エアコン２３の所定時間毎、本実施形態では１分毎の使用電力量を得ることが可能となる。
【００４４】
ＣＰＵ３６は、電流センサ３３−１〜３３−ｎについて計測された電流値と、不図示の電圧センサで計測される電圧計測値を用いて、記憶手段３７に格納されたプログラムにより、各分岐ブレーカ３２−１〜３２−ｎの電路の所定時間毎、本実施形態では１分毎の使用電力量を演算し、この演算結果を記憶手段３７の使用電力量記憶部に格納する。
【００４５】
情報提供会社５０は、住宅１０に居住するユーザに省エネルギー情報を提供する組織であって、本実施形態の省エネルギー情報提供システムの運用を行う。なお、情報提供会社５０は、住宅１０の設計・建築を行った者から住宅１０の図４の回路テーブルを譲り受けてシステムを運用するが、住宅１０の設計・建築を行ったメーカー、設計事務所、建築家個人等自身が情報提供会社５０として本システムを運用してもよい。
情報提供会社５０には、図１に示すように、システムサーバ６０、端末コンピュータ８０が設置され、相互にイントラネット５１で接続されている。
システムサーバ６０は、本実施形態の省エネルギー情報提供システムを管理するサーバコンピュータであって、情報提供会社５０の本実施形態の省エネルギー情報提供システムの運用管理を行う部署により、運営管理が行われている。
システムサーバ６０のハード構成は、ホームサーバ２０と同様であるため、説明を省略する。
【００４６】
システムサーバ６０の不図示のＨＤＤには、各住宅１０の各分岐ブレーカ３２−１〜３２−ｎと住宅１０内の建物内配線との対応を示す図４の回路テーブル、温度測定タイマプログラム（温度測定タイマ）、アドバイス表示タイマ（アドバイス表示タイマプログラム）が格納されている。
【００４７】
回路テーブルは、各分岐ブレーカ３２−１〜３２−ｎと住宅１０内の建物内配線との対応を示すテーブルであって、図４のように、項目として、各分岐ブレーカ３２−１〜３２−ｎのアドレス、そのアドレスに対応する各分岐ブレーカ３２−１〜３２−ｎに接続される回路の階数及び室名のほか、建物内配線、そのアドレスに対応する各分岐ブレーカ３２−１〜３２−ｎに接続される回路を含む。
温度測定タイマプログラム（温度測定タイマ）、アドバイス表示タイマ（アドバイス表示タイマプログラム）は、それぞれ１分、５分を測定するタイマプログラムであって、リセットにより作動開始し、リセットからそれぞれ１分、５分でタイムアップする。なお、これらのタイマプログラムの計測時間は１分、５分に限るものでなく、他の時間を計測してもよい。
【００４８】
また、システムサーバ６０のＨＤＤには、図１に示すように、エアコン２３に関する各種温度及び消費電力量等の実測データを格納するデータベース７０が格納され、このデータベース７０には、図５の基本データ記憶手段としての基本データテーブル７１と、詳細データベース７２が格納されている。
図５の基本データテーブル７１は、エアコン２３起動時の各温度の実績値から、エアコン２３起動後設定温度になるまでに要した時間と、消費電力量の合計値を格納するテーブルであって、その後のエアコン２３起動時又は停止中に、この蓄積した実績値から、エアコン２３使用による予想消費電力量等を算出するために用いられる。
【００４９】
基本データテーブル７１は、項目として、本実施形態の省エネルギー情報提供システム内で各住宅１０を一意に特定可能なユーザＩＤ、ユーザＩＤで特定される住宅１０内で各エアコン２３を一意に特定可能なエアコンＮｏ、詳細データテーブル７３を一意に特定可能なデータＮｏ、詳細データテーブル７３から取得した測定開始時の外気温度、詳細データテーブル７３から取得した測定開始時の開始室内温度、詳細データテーブル７３から取得した測定開始時のエアコン設定温度、詳細データテーブル７３のデータから算出された設定温度になるまでに要した時間及び消費電力量の合計を含む。
基本データテーブル７１に含まれる各データが、特許請求の範囲の基本データに該当する。また基本データテーブル７１に含まれる設定温度になるまでに要した時間及び消費電力量の合計が、特許請求の範囲の実績必要時間及び実績合計消費電力量に該当する。
【００５０】
詳細データベース７２には、図６の詳細データテーブル７３が格納されている。詳細データテーブル７３は、住宅１０のエアコン２３が起動されてから室内温度がエアコン設定温度になるまでの１分毎の外気温度、室内温度、エアコン設定温度及び消費電力量の実測値を格納するテーブルであって、外気温度、室内温度、エアコン設定温度及び消費電力量の実績値を蓄積しておいて、その後のエアコン２３起動時又は停止中に、この蓄積した実績値から、エアコン２３使用による予想消費電力量を算出するために用いられる。
【００５１】
詳細データテーブル７３は、項目として、本実施形態の省エネルギー情報提供システム内で各住宅１０を一意に特定可能なユーザＩＤ、ユーザＩＤで特定される住宅１０内で各エアコン２３を一意に特定可能なエアコンＮｏ、詳細データテーブル７３を一意に特定可能なデータＮｏ、詳細データテーブル７３に含まれる各レコードを一意に特定可能なデータサブＮｏ、単位時間毎、本実施形態では１分毎の実測値である外気温度、単位時間毎、本実施形態では１分毎の実測値である室内温度、単位時間毎、本実施形態では１分毎の実測値であるエアコン設定温度、単位時間毎、本実施形態では１分毎の実測値である消費電力量を含む。
詳細データテーブル７３に含まれる外気温度、室内温度、設定温度、消費電力量が、特許請求の範囲の実績外気温度、実績室内温度、実績設定温度、実績消費電力量に該当する。
【００５２】
更に、システムサーバ６０のＨＤＤには、表示パネル２２、２３Ｐに表示するアドバイス画面、比較結果画面の書式が格納されており、外気温度、室内温度、エアコン設定温度、エアコン２３の予想消費電力等の情報を組合せることにより、図１２のパターン１のアドバイス画面１００、不図示のパターン２、パターン３のアドバイス画面、不図示の比較結果画面等を表示可能に構成されている。
【００５３】
端末コンピュータ８０は、情報提供会社５０の各担当者が使用するコンピュータである。端末コンピュータ８０のハード構成は、ホームサーバ２０と同様であるため、説明を省略する。
【００５４】
次に、本実施形態の省エネルギー情報提供システムで行われる業務処理及び各プログラムにより実行される処理について説明する。
施主より住宅１０建築の依頼を受けると、住宅１０の設計者は、施主の意向を聞きながら、ＣＡＤを用いて住宅１０の設計を行う。
【００５５】
その後、設計者は、施主の意向を聞きながら、住宅１０内の電気回路設計を行う。設計者は、不図示の端末コンピュータで、不図示の回路登録プログラムを立ち上げる。
不図示の回路登録プログラムは、設計者が住宅１０の電気回路を登録するための不図示の回路入力画面を立ち上げる。この画面には、住宅１０をイントラネット５１で一意に識別可能な住宅識別番号を入力する欄、分岐ブレーカ３２−１〜３２−ｎのアドレスと、これらの分岐ブレーカ３２−１〜３２−ｎにそれぞれ接続される電気回路との対応を登録するためのテーブル登録欄を備えている。
テーブル登録欄は、分岐ブレーカ３２−１〜３２−ｎのアドレスを入力する分岐ブレーカアドレス欄、各分岐ブレーカが接続される階数を入力する階数欄、各分岐ブレーカが接続される室名を入力する室名欄、各分岐ブレーカが接続される回路（用途）欄を備えた表形式になっている。
【００５６】
テーブル登録欄に必要な情報が入力され、不図示の登録ボタンがクリックされると、入力された分岐ブレーカ３２−１〜３２−ｎのアドレス、その分岐ブレーカが接続される階数、室名、回路（用途）と、この住宅１０の識別番号を、分岐ブレーカ３２−１〜３２−ｎ毎のデータとして、不図示の回路テーブルに登録し、プログラムの処理を終了する。
【００５７】
住宅１０の建築が完了した後、住宅１０のユーザとなる施主への引き渡しの際に、情報提供会社５０は、設計者が登録した不図示の回路テーブルの住宅１０のデータを譲り受け、システムサーバ６０の図４の回路テーブルに登録する。また、情報提供会社５０は、住宅１０にユーザＩＤを付し、システムサーバ６０の不図示の住宅情報記憶部に登録する。
居住者は、住宅１０に入居すると、分電盤３０の主幹ブレーカ３１、分岐ブレーカ３２−１〜３２−ｎ等をオンにすると共に、ホームサーバ２０の電源を入れ、インターネット１に接続をし、ホームサーバ２０を常時インターネット１に接続し、電源を入れた状態にする。これにより、ホームサーバ２０はシステムサーバ６０とインターネット１経由で接続され、本実施形態の省エネルギー情報提供システムが使用可能になる。
【００５８】
本実施形態の省エネルギー情報提供システムの処理の大まかな流れを、図７のシステム全体フロー図に示す。図７では、１台のエアコン２３について説明するが、図７のシステム全体フロー図の処理は、住宅１０内の複数台のエアコン２３それぞれについて併行して実行される。
本実施形態の省エネルギー情報提供システムでは、図７に示すように、エアコン起動（処理２）から、室内温度がエアコン設定温度に到達するまで（処理６）に要した時間と消費電力量のデータを、エアコン２３が起動される都度詳細データテーブル７３、基本データテーブル７１に登録して、蓄積しておく（処理３，４，７，８）。
処理２でエアコン２３が起動されると、エアコン起動時の外気温度、室内温度、エアコン設定温度に、蓄積されたデータを適用して、予想消費電力量を算出し、算出した予想消費電力量を表示した省エネ対策のアドバイスを作成して、表示パネル２２、２３Ｐに表示する。なお、本実施形態では、アドバイス画面や比較結果画面等を、表示パネル２２、２３Ｐに表示するが、これに限定されず、エアコン２３本体に不図示の液晶パネルを設け、この液晶パネルに表示するように構成してもよい。
【００５９】
以下、図７のシステム全体フロー図について説明する。
エアコン２３の電源がオフの間、システムサーバ６０は、処理１において、表示パネル２２、２３Ｐ上に、予想消費電力量を表示した省エネ対策のアドバイスを表示する。このアドバイスは、５分毎に更新される。
処理２で、システムサーバ６０が、住宅１０内のいずれかのエアコン２３の電源がオンにされたことを検知すると、処理３で、データベース７０の基本データテーブル７１に、住宅１０のユーザＩＤ、電源がオンにされたエアコンＮｏ、電源がオンにされた時点の外気温度、室内温度、エアコン設定温度を、取得したデータＮｏと共に登録する。
【００６０】
また、処理４で、システムサーバ６０は、データベース７０の詳細データベース７２への１分毎の詳細データの蓄積を行う。
この処理４では、住宅１０のユーザＩＤ、電源がオンにされたエアコンＮｏ、処理３で取得したデータＮｏで特定される詳細データテーブル７３を生成する。システムサーバ６０は、該当するエアコン２３が設置された部屋の室内温度、外気温度、エアコンの設定温度、過去１分間の消費電力量のデータを毎分取得し、この詳細データテーブル７３に、毎分登録する。
この処理４は、システムサーバ６０がエアコン２３の電源がオンにされたことを検知した時点から、エアコン２３が設置された部屋の室内温度が、エアコン２３の設定温度に到達するまでの間継続される。
【００６１】
また、処理２において、システムサーバ６０が、住宅１０内のいずれかのエアコン２３の電源がオンにされたことを検知すると、処理５で、システムサーバ６０は、エアコン２３の電源がオンにされた時点の外気温度、室内温度、エアコン設定温度に基づき予想消費電力量等を表示した省エネ対策のアドバイスを作成し、表示パネル２２、２３Ｐ上に表示する。その後、室内温度がエアコン設定に到達するまで、アドバイスの更新は行わず、同じアドバイスを表示パネル２２、２３Ｐ上に維持する。
処理６で、室内温度がエアコン設定温度に到達したことを検知すると、システムサーバ６０は、処理７で、処理４で毎分登録された詳細データテーブル７３の詳細データを用いて、エアコン２３の電源がオンにされてから室内温度がエアコン設定温度に到達するまでに要した時間と、その間に消費された消費電力量の合計を算出し、データベース７０の基本データテーブル７１のデータのうち、処理３で登録したレコードに登録する。
また、処理８で、処理４で行っていた詳細データテーブル７３への詳細データの蓄積を終了する。
【００６２】
その後、処理９で、予測と結果の比較結果画面を表示パネル２２、２３Ｐ上に表示する。
その後、エアコン２３の電源がオフされ、室内温度が外気温度よりも２℃以上高くなったら、再度処理１で、表示パネル２２、２３Ｐ上に、予想消費電力量を表示した省エネ対策のアドバイスを表示し、５分毎に更新する。その後、処理１〜処理９を繰り返す。
【００６３】
本実施形態の省エネルギー情報提供システムにおけるエアコン２３の稼働状況、室内温度の推移と表示パネル２２、２３Ｐの表示との関係は、図８の通りである。
エアコン２３が起動されると、システムサーバ６０は、予想消費電力量等を算出し、表示パネル２２、２３Ｐに予想消費電力量を表示した省エネ対策のアドバイスを表示する。このアドバイスは、室内温度が設定温度に到達するまで不変のまま維持される。
室内温度が設定温度に到達すると、予想と結果の比較結果画面を表示パネル２２、２３Ｐ上に表示する。
エアコン２３が停止されると、表示パネル２２、２３Ｐ上の表示をクリアし、室内温度と外気温度との差が２℃より大きくなるまで、表示パネル２２、２３Ｐに表示を行わない。
室内温度と外気温度の差が２℃より大きくなると、アドバイスを表示し、５分毎に更新する。以降、同様の表示を繰り返す。
【００６４】
次に、システムサーバ６０がデータベース７０の基本データテーブル７１、詳細データベース７２にデータを登録する処理について、図９のフローチャートに基づき説明する。
住宅１０内のいずれかのエアコン２３のスイッチが、ユーザによってオンにされ、分電盤３０の該当するエアコン２３の分岐ブレーカ３２−ｉに電流が流れると、図９のデータ登録フローチャートがスタートする。図９のデータ登録フローチャートは、システムサーバ６０の不図示のＣＰＵで制御される。
【００６５】
まず、ステップＳ１で、温度測定タイマ（温度測定タイマプログラム）をリセットすると共に作動開始させる。これにより、エアコン２３のスイッチがオンにされてからタイマがタイムアップするまでの１分を測定し、エアコン２３起動１分後の温度、消費電力量測定が可能となる。
次いでステップＳ２で、ホームサーバ２０に、外気温度、該当するエアコン２３の設置された部屋の室内温度、該当するエアコン設定温度を測定・送信するよう指令を出し、ホームサーバ２０から、これらの温度を取得する。
このステップＳ２では、指令を受けたホームサーバ２０が、データ収集プログラムを実行し、指令された温度データを収集して、システムサーバ６０に送信する。
【００６６】
次いでステップＳ３で、取得した室内温度が、取得したエアコン設定温度よりも高いか、即ち、室内温度＞エアコン設定温度か判定する。
室内温度＞エアコン設定温度でない場合（ステップＳ３：ＮＯ）、即ち、室内温度がエアコン設定温度と同じかそれより低い場合、温度推移データ蓄積が不要なケースであるとして、処理を終了する。つまり、温度推移データ蓄積の目的は、室内温度がエアコン設定温度よりも高い場合のエアコン２３の消費電力量を省力化する方法を住宅１０のユーザにアドバイスすることにあるため、室内温度がエアコン設定温度と同じかそれより低い場合は、温度推移データ蓄積の必要がない。
【００６７】
室内温度＞エアコン設定温度である場合（ステップＳ３：ＹＥＳ）、温度推移データ蓄積が必要なケースであるとして、ステップＳ４で、基本データテーブル７１において、該当する住宅１０のユーザＩＤ、該当するエアコンＮｏで、その時点で最大のデータＮｏに１を足したデータＮｏ＋１をデータＮｏとするレコードを作成し、このレコードの外気温度、開始室内温度、エアコン設定温度の項目に、ステップＳ２で取得した外気温度、室内温度、エアコン設定温度を登録する。
【００６８】
次いでステップＳ５で、データベース７０の詳細データベース７２に、該当する住宅１０のユーザＩＤ、該当するエアコンＮｏで、ステップＳ３で取得したデータＮｏ＋１をデータＮｏとする詳細データテーブル７３を作成する。
ステップＳ６で、このデータＮｏ＋１の詳細データテーブル７３において、データサブＮｏを０とするレコードを取得し、このレコードの外気温度、室内温度、エアコン設定温度の項目に、ステップＳ２で取得した外気温度、室内温度、エアコン設定温度を登録する。
【００６９】
次いで、ステップＳ７で、温度測定タイマがタイムアップしたか判定する。温度測定タイマがタイムアップしていない場合（ステップＳ７：ＮＯ）、つまり、ステップＳ１で温度測定タイマをリセットしてからタイマ設定時間の１分が経過していない場合、温度推移データ蓄積のための測定タイミングに達していないものとして、再度ステップＳ７で、温度測定タイマがタイムアップしたか判定する。つまり、ステップＳ１で温度測定タイマをリセットしてからタイマ設定時間の１分が経過するまで、ステップＳ７を繰り返す。
【００７０】
温度測定タイマがタイムアップした場合（ステップＳ７：ＹＥＳ）、つまり、ステップＳ１又はＳ８で温度測定タイマをリセットしてからタイマ設定時間の１分が経過した場合、温度推移データ蓄積のための測定タイミングであるものとして、ステップＳ８で、温度測定タイマをリセットすると共に作動開始させる。これにより、温度測定タイマ設定時間の１分毎に、温度推移データ蓄積のための温度測定が可能となる。
【００７１】
次いで、ステップＳ９で、ホームサーバ２０に、外気温度、該当するエアコン２３の設置された部屋の室内温度、エアコン設定温度と、過去１分間のエアコン消費電力量を測定・送信するよう指令を出し、ホームサーバ２０から、これらの温度、エアコン消費電力量のデータを取得する。
このステップＳ９では、指令を受けたホームサーバ２０が、データ収集プログラムを実行し、指令された温度データを収集して、システムサーバ６０に送信する。また、指令を受けたホームサーバ２０が、データ収集プログラムを実行し、分電盤３０の記憶手段３７に記憶されたエアコン２３に該当する分岐ブレーカ３２−ｉの電路の過去１分間の使用電力量のデータを取得して、システムサーバ６０に送信する。
【００７２】
次いで、ステップＳ１０で、詳細データテーブル７３のデータサブＮｏに１を足したＮｏ＋１をデータサブＮｏとするレコードに、ステップＳ９で取得したデータを登録する。
この処理では、まず、詳細データベース７２のデータＮｏを、ステップＳ４で取得したデータＮｏ＋１で検索し、データＮｏがステップＳ３で取得したデータＮｏ＋１に等しい詳細データテーブル７３を抽出する。
この詳細データテーブル７３で、その時点で最大のデータサブＮｏに１を足したデータサブＮｏ＋１をデータサブＮｏとするレコードを作成し、このレコードに、ステップＳ９で取得した外気温度、エアコン２３の設置された部屋の室内温度、エアコン設定温度と、過去１分間のエアコン消費電力量を登録する。
【００７３】
次いで、ステップＳ１１で、ステップＳ９で取得した室内温度とエアコン設定温度とを比較し、室内温度＞エアコン設定温度かを判定する。
室内温度＞エアコン設定温度であった場合（ステップＳ１１：ＹＥＳ）、エアコン２３の起動後、まだ室内温度がエアコン設定温度に到達しておらず、更に温度推移データ蓄積のための温度測定が必要であるとして、ステップＳ１２で、エアコン２３が停止されたか判定する。停止されたか否か、即ち、エアコン２３のスイッチがユーザによってオフされたか否かは、分電盤３０において、該当するエアコン２３の分岐ブレーカ３２−ｉに流れていた電流が停止又は停止に近い電流量になったか否かにより検出される。
【００７４】
エアコン２３が停止された場合（ステップＳ１２：ＹＥＳ）、エアコン２３は、室内温度がエアコン設定温度に到達する前に停止されており、必要な温度推移データに該当しないため、これ以上温度推移データ蓄積のための温度測定は必要ないとして、基本データテーブル７１へのデータ登録を行うことなく、図９のフローチャートの処理を終了する。
【００７５】
エアコン２３が停止されていない場合（ステップＳ１２：ＮＯ）、エアコン２３起動後室内温度がエアコン設定温度に到達しておらず、かつ、エアコン２３が稼働し続けているため、更に温度推移データ蓄積のための温度測定を継続する必要があるとして、ステップＳ７で、温度測定タイマがタイムアップしたか判定する。
つまり、室内温度がエアコン設定温度に到達するか、エアコン２３が停止されるまで、ステップＳ７〜Ｓ１２を繰り返すことにより、データＮｏ＋１をデータＮｏとする詳細データテーブル７３に、室内温度、外気温度、エアコン２３設定温度、エアコン消費電力量のデータを、データサブＮｏを１ずつ繰り上げながら、１分毎に登録する処理を繰り返す。
【００７６】
室内温度＞エアコン設定温度でない場合（ステップＳ１１：ＮＯ）、即ち、室内温度がエアコン設定温度と同じかそれより低い場合、エアコン２３起動後エアコン２３が継続稼働したまま室内温度がエアコン設定温度に到達したものとして、ステップＳ１３で、詳細データテーブル７３に登録されたデータを用いて、エアコン２３起動から室内温度がエアコン設定温度に到達するまでに要した時間と、その間に消費された消費電力量合計を算出し、基本データテーブル７１のデータＮｏ＋１をデータＮｏとするレコードに登録する。
【００７７】
このステップでは、データＮｏ＋１をデータＮｏとする詳細データテーブル７３の最後尾のレコードのサブデータＮｏを取得して、基本データテーブル７１のデータＮｏ＋１をデータＮｏとするレコードにおける、設定温度になるまでに要した時間の項目に登録する。なお、本実施形態では、詳細データテーブル７３のデータを１分毎に取得しているため、このように構成しているが、それ以外の場合には、詳細データテーブル７３のデータ取得の間隔時間に、（詳細データテーブル７３の全レコード数−１）を掛け合わせて得た積を、設定温度になるまでに要した時間の項目に登録する。
【００７８】
また、データＮｏ＋１をデータＮｏとする詳細データテーブル７３のすべての消費電力量の値を合計した和を、基本データテーブル７１のデータＮｏ＋１をデータＮｏとするレコードの消費電力量合計の項目に、登録する。これにより、図５の基本データテーブル７１の各レコードの登録が実行される。その後、図９の処理を終了する。
以上の図９の処理により、図５の基本データテーブル７１、図６の詳細データテーブル７３が作成され、基本データテーブル７１は、表示パネル２２、２３Ｐへ表示するユーザ向けアドバイス作成のための参照データとして利用可能となる。
【００７９】
次に、システムサーバ６０が、図７、図８で示すタイミングで、表示パネル２２、２３Ｐにアドバイス等を表示する処理について、図１０及び図１１のフローチャートに基づき説明する。
図１０及び図１１のフローチャートの処理は、システムサーバ６０の不図示のＣＰＵで制御されており、住宅１０に設置されたすべてのエアコン２３について、各々別個独立に、併行して繰り返し行われている。
【００８０】
図１０のフローチャートの処理がスタートすると、まず、ステップＳ２１で、エアコン２３が起動されたか判定する。エアコン２３の起動は、エアコン２３のスイッチが、ユーザによってオンにされ、分電盤３０において、該当するエアコン２３の分岐ブレーカ３２−ｉに電流が流れることにより検出される。
エアコン２３が起動された場合(ステップＳ２１：ＹＥＳ)、ステップＳ２２で、ホームサーバ２０に、外気温度、該当するエアコン２３の設置された部屋の室内温度、該当するエアコン設定温度を測定・送信するよう指令を出し、ホームサーバ２０から、これらの温度を取得する。
このステップＳ２２では、指令を受けたホームサーバ２０が、データ収集プログラムを実行し、指令された温度データを収集して、システムサーバ６０に送信する。
【００８１】
次いで、ステップＳ２３で、ステップＳ２２で取得した室内温度、外気温度のデータについて、室内温度−外気温度＜０℃か、即ち、室内温度が外気温度よりも低いか判定する。
室内温度−外気温度＜０℃の場合（ステップＳ２３：ＹＥＳ）、室内温度が外気温度より低く、エアコン２３起動時に窓を開けても室内温度を下げることができず、窓を開ける旨のアドバイスが向かないとして、アドバイスを表示することなく処理を終了する。
【００８２】
室内温度−外気温度＜０℃でない場合（ステップＳ２３：ＮＯ）、室内温度が外気温度より高く、エアコン２３起動時に窓を開けることにより室内温度を下げる旨のアドバイスをする余地があるものとして、ステップＳ２４〜Ｓ３２で、アドバイスに用いるためのデータを算出する。
ステップＳ２４では、基本データテーブル７１を、ステップＳ２２で取得した外気温度、室内温度、エアコン設定温度の条件をキーとして、データＮｏの大きいレコードから順に検索し、基本データテーブル７１に、外気温度、開始室内温度、エアコン設定温度の条件が、ステップＳ２２で取得した外気温度、室内温度、エアコン設定温度の条件と同一であるレコードがあるか判定する。
【００８３】
基本データテーブル７１に、外気温度、開始室内温度、エアコン設定温度の条件がステップＳ２２で取得した外気温度、室内温度、エアコン設定温度の条件と同一であるレコードが、ない場合（ステップＳ２４：ＮＯ）、同一条件のレコードがないため、近似条件のレコードを探す必要があるとして、ステップＳ２５で、基本データテーブル７１に、外気温度、開始室内温度、エアコン設定温度が、｛ステップＳ２２で取得した外気温度±（０．１×ｘ）｝℃、｛ステップＳ２２で取得した室内温度±（０．１×ｘ）｝℃、｛ステップＳ２２で取得したエアコン設定温度±（０．１×ｘ）｝℃（但し、ｘ＝１）と同一となるレコードがあるか判定する。
【００８４】
このステップでは、まず、外気温度、開始室内温度、エアコン設定温度が、（ステップＳ２２で取得した外気温度＋０．１）℃、（ステップＳ２２で取得した室内温度＋０．１）℃、（ステップＳ２２で取得したエアコン設定温度＋０．１）℃と同一となるレコードが、基本データテーブル７１にあるか判定し、ある場合には、判定をＹＥＳとしてこのステップを終了し、ステップＳ２７に進む。ない場合には、外気温度、開始室内温度、エアコン設定温度が、（ステップＳ２２で取得した外気温度−０．１）℃、（ステップＳ２２で取得した室内温度−０．１）℃、（ステップＳ２２で取得したエアコン設定温度−０．１）℃と同一となるレコードが、基本データテーブル７１にあるか判定し、ある場合には判定をＹＥＳ、ない場合には判定をＮＯとして、このステップを終了する。
【００８５】
基本データテーブル７１に、外気温度、開始室内温度、エアコン設定温度が、｛ステップＳ２２で取得した外気温度±（０．１×ｘ）｝℃、｛ステップＳ２２で取得した室内温度±（０．１×ｘ）｝℃、｛ステップＳ２２で取得したエアコン設定温度±（０．１×ｘ）｝℃（但し、ｘ＝１）と同一となるレコードがなかった場合（ステップＳ２５：ＮＯ）、ステップＳ２６で、｛ステップＳ２２で取得した外気温度±（０．１×ｘ）｝℃、｛ステップＳ２２で取得した室内温度±（０．１×ｘ）｝℃、｛ステップＳ２２で取得したエアコン設定温度±（０．１×ｘ）｝℃のｘを１繰り上げたｘ＋１とし、基本データテーブル７１に、外気温度、開始室内温度、エアコン設定温度が、｛ステップＳ２２で取得した外気温度±（０．１×ｘ）｝℃、｛ステップＳ２２で取得した室内温度±（０．１×ｘ）｝℃、｛ステップＳ２２で取得したエアコン設定温度±（０．１×ｘ）｝℃（但し、ｘ＝ｘ＋１）と同一となるレコードがあるか判定する。
【００８６】
すなわち、ステップＳ２５で、外気温度、開始室内温度、エアコン設定温度が（ステップＳ２２で取得した外気温度±０．１）℃、（ステップＳ２２で取得した室内温度±０．１）℃、（ステップＳ２２で取得したエアコン設定温度±０．１）℃と同一となるレコードが、なかった場合、ステップＳ２２で取得した各温度に順次±０．２、±０．３のように、±０．１℃単位で数値を足していき、足して得た各温度の組合せと同一となるレコードが検出されるまで、ステップＳ２６を繰り返す。
これらのステップＳ２５、Ｓ２６により、ステップＳ２４で、ステップＳ２２で取得した各温度条件に合致するレコードが基本データテーブル７１になかった場合でも、最も近い温度条件のレコードを抽出することが可能となる。
【００８７】
基本データテーブル７１に、外気温度、開始室内温度、エアコン設定温度が、｛ステップＳ２２で取得した外気温度±（０．１×ｘ）｝℃、｛ステップＳ２２で取得した室内温度±（０．１×ｘ）｝℃、｛ステップＳ２２で取得したエアコン設定温度±（０．１×ｘ）｝℃（但し、ｘ＝ｘ＋１）と同一となるレコードがあった場合（ステップＳ２６：ＹＥＳ）、ステップＳ２７で、このレコードから、設定温度になるまでに要した時間、消費電力量合計の値を、近似予想必要時間、近似予想消費電力量として取得する。
【００８８】
基本データテーブル７１に、外気温度、開始室内温度、エアコン設定温度が、｛ステップＳ２２で取得した外気温度±（０．１×ｘ）｝℃、｛ステップＳ２２で取得した室内温度±（０．１×ｘ）｝℃、｛ステップＳ２２で取得したエアコン設定温度±（０．１×ｘ）｝℃（但し、ｘ＝１）と同一となるレコードがあった場合（ステップＳ２５：ＹＥＳ）、ステップＳ２７で、このレコードから、設定温度になるまでに要した時間、消費電力量合計の値を、近似予想必要時間、近似予想消費電力量として取得する。
その後、図１０のＡから図１１のＡを経てステップＳ２９に進み、（ステップＳ２２で取得した室内温度−０．５）℃の場合の予想必要時間、予想消費電力量を取得する。
【００８９】
基本データテーブル７１に、外気温度、開始室内温度、エアコン設定温度の条件がステップＳ２２で取得した外気温度、室内温度、エアコン設定温度の条件と同一であるレコードが、あった場合（ステップＳ２４：ＹＥＳ）、ステップＳ２８で、このレコードから、設定温度になるまでに要した時間、消費電力量合計の値を、予想必要時間、予想消費電力量として取得する。
【００９０】
その後、図１０のＡから図１１のＡを経てステップ２９に進み、室内温度を（ステップＳ２２で取得した室内温度−０．５）℃とした場合の予想必要時間、予想消費電力量を取得する。
このステップでは、ステップＳ２２で取得した外気温度、（ステップＳ２２で取得した室内温度−０．５）℃、ステップＳ２２で取得したエアコン設定温度の温度条件について、ステップＳ２４〜ステップＳ２８と同様の処理により、予想必要時間、予想消費電力量を取得する。
【００９１】
具体的には、まず、基本データテーブル７１に、ステップＳ２２で取得した外気温度、（ステップＳ２２で取得した室内温度−０．５）℃、ステップＳ２２で取得したエアコン設定温度の温度条件と同一条件のレコードがあるか判定し、ある場合には、このレコードから、設定温度になるまでに要した時間、消費電力量合計の値を、予想必要時間、予想消費電力量として取得する。この予想消費電力量が、特許請求の範囲の窓開け後仮定合計消費電力量に該当する。
また、同一条件のレコードがない場合には、これらの各温度に±０．１℃、±０．２℃、±０．３℃のように、±０．１℃単位で数値を足し、これらの数値を足した各温度の組合せと同一となるレコードが検出されるまで、±０．１℃単位で数値を足して各温度の組合せを得る処理と、各温度の組合せと同一となるレコードを基本データテーブル７１で検索する処理を繰り返す。各温度の組合せと同一となるレコードが検出されると、このレコードから、設定温度になるまでに要した時間、消費電力量合計の値を、近似予想必要時間、近似予想消費電力量として取得する。
【００９２】
次いで、ステップＳ３０で、室内温度を（ステップＳ２２で取得した室内温度−１．０）℃とした場合の予想必要時間、予想消費電力量を取得する。この予想消費電力量が、特許請求の範囲の窓開け後仮定合計消費電力量に該当する。
このステップでは、ステップＳ２２で取得した外気温度、（ステップＳ２２で取得した室内温度−１．０）℃、ステップＳ２２で取得したエアコン設定温度の温度条件について、ステップＳ２４〜ステップＳ２８と同様の処理により、予想必要時間、予想消費電力量を取得する。
【００９３】
具体的には、まず、基本データテーブル７１に、ステップＳ２２で取得した外気温度、（ステップＳ２２で取得した室内温度−１．０）℃、ステップＳ２２で取得したエアコン設定温度の温度条件と同一条件のレコードがあるか判定し、ある場合には、このレコードから、設定温度になるまでに要した時間、消費電力量合計の値を、予想必要時間、予想消費電力量として取得する。
また、同一条件のレコードがない場合には、これらの各温度に±０．１℃、±０．２℃、±０．３℃のように、±０．１℃単位で数値を足し、これらの数値を足した各温度の組合せと同一となるレコードが検出されるまで、±０．１℃単位で数値を足して各温度の組合せを得る処理と、各温度の組合せと同一となるレコードを基本データテーブル７１で検索する処理を繰り返す。各温度の組合せと同一となるレコードが検出されると、このレコードから、設定温度になるまでに要した時間、消費電力量合計の値を、近似予想必要時間、近似予想消費電力量として取得する。
【００９４】
次いで、ステップＳ３１で、室内温度を（ステップＳ２２で取得した室内温度−１．５）℃とした場合の予想必要時間、予想消費電力量を取得する。この予想消費電力量が、特許請求の範囲の窓開け後仮定合計消費電力量に該当する。
このステップでは、ステップＳ２２で取得した外気温度、（ステップＳ２２で取得した室内温度−１．５）℃、ステップＳ２２で取得したエアコン設定温度の温度条件について、ステップＳ２４〜ステップＳ２８と同様の処理により、予想必要時間、予想消費電力量を取得する。
【００９５】
具体的には、まず、基本データテーブル７１に、ステップＳ２２で取得した外気温度、（ステップＳ２２で取得した室内温度−１．５）℃、ステップＳ２２で取得したエアコン設定温度の温度条件と同一条件のレコードがあるか判定し、ある場合には、このレコードから、設定温度になるまでに要した時間、消費電力量合計の値を、予想必要時間、予想消費電力量として取得する。
また、同一条件のレコードがない場合には、これらの各温度に±０．１℃、±０．２℃、±０．３℃のように、±０．１℃単位で数値を足し、これらの数値を足した各温度の組合せと同一となるレコードが検出されるまで、±０．１℃単位で数値を足して各温度の組合せを得る処理と、各温度の組合せと同一となるレコードを基本データテーブル７１で検索する処理を繰り返す。各温度の組合せと同一となるレコードが検出されると、このレコードから、設定温度になるまでに要した時間、消費電力量合計の値を、近似予想必要時間、近似予想消費電力量として取得する。
ステップＳ２９〜Ｓ３１における０．５℃、１．０℃、１．５℃が、特許請求の範囲の所定温度に該当し、（室温−０．５℃）、（室温−１．０℃）、（室温−１．５℃）が、特許請求の範囲の窓開け後仮定室内温度に該当する。なお、本実施形態では、所定温度を０．５℃、１．０℃、１．５℃としているが、そのほかの温度としてもよい。
【００９６】
次いで、ステップＳ３２で、室内温度をステップＳ２２で取得した外気温度とした場合の予想必要時間、予想消費電力量を取得する。この予想消費電力量が、特許請求の範囲の窓開け後仮定合計消費電力量に該当する。
このステップでは、ステップＳ２２で取得した外気温度、ステップＳ２２で取得した外気温度と同温の室内温度、ステップＳ２２で取得したエアコン設定温度の温度条件について、ステップＳ２４〜ステップＳ２８と同様の処理により、予想必要時間、予想消費電力量を取得する。
外気温度と同温の室内温度が、特許請求の範囲の窓開け後仮定室内温度に該当する。
【００９７】
具体的には、まず、基本データテーブル７１に、ステップＳ２２で取得した外気温度、ステップＳ２２で取得した外気温度と同温の室内温度、ステップＳ２２で取得したエアコン設定温度の温度条件と同一条件のレコードがあるか判定し、ある場合には、このレコードから、設定温度になるまでに要した時間、消費電力量合計の値を、予想必要時間、予想消費電力量として取得する。
また、同一条件のレコードがない場合には、これらの各温度に±０．１℃、±０．２℃、±０．３℃のように、±０．１℃単位で数値を足し、これらの数値を足した各温度の組合せと同一となるレコードが検出されるまで、±０．１℃単位で数値を足して各温度の組合せを得る処理と、各温度の組合せと同一となるレコードを基本データテーブル７１で検索する処理を繰り返す。各温度の組合せと同一となるレコードが検出されると、このレコードから、設定温度になるまでに要した時間、消費電力量合計の値を、近似予想必要時間、近似予想消費電力量として取得する。
【００９８】
次いで、ステップＳ３３で、室内温度−外気温度≧５℃か、即ち、室内温度が外気温度よりも５℃以上高いか判定する。
室内温度−外気温度≧５℃の場合（ステップＳ３３：ＹＥＳ）、ステップＳ２２で取得した室内温度が外気温度よりも５℃以上高く、エアコン２３起動前に窓を開けることによりかなり高い省エネ効果が期待できるものとして、ステップＳ３４で、窓開けによる省エネ効果が高い旨を示す図１２のパターン１のアドバイス画面１００を表示させる。
【００９９】
このステップでは、システムサーバ６０のＨＤＤから、パターン１のアドバイス画面１００の書式を取得する。
アドバイス画面１００は、現在の温度条件及び設定においてエアコン２３を使用した場合の室内温度、予想消費電力量の推移を示す推移予測グラフ欄１１０と、現在の室内温度の場合、室内温度を予め０．５℃、１．０℃、１．５℃下げた場合及び室内温度を予め外気温度まで下げた場合のエアコン２３の予測消費電力量を示す削減効果表１２０と、予測に基づいたアドバイスを文章で示すアドバイス欄１３０と、を備えている。このアドバイス欄１３０中の「１０分」が、特許請求の範囲の予想必要時間、「１６６Ｗｈ」が特許請求の範囲の予想合計消費電力量、「３６Ｗｈ」が、特許請求の範囲のエアコン起動時に窓を開けたと仮定した場合に節約できる省電力量に該当する。
そして、ステップＳ３４では、ステップＳ２２で取得したエアコン起動時の外気温度、室内温度、エアコン設定温度のデータと、これらのデータを用いてステップＳ２４〜Ｓ２６で基本データテーブル７１から抽出されたレコードに対応する詳細データテーブル７３の室内温度の推移データと、ステップＳ２４〜ステップＳ２８で取得した予想必要時間、予想消費電力量又は近似予想必要時間、近似予想消費電力量のデータと、を用いて、推移予測グラフ欄１１０を作成する。
【０１００】
また、ステップＳ２４〜ステップＳ２８で取得した予想消費電力量又は近似予想消費電力量のデータと、ステップＳ２９〜ステップＳ３２で取得した予想消費電力量又は近似予想消費電力量のデータと、を用いて、削減効果表１２０を作成する。
このとき、予想消費電力量又は近似予想消費電力量に、その住宅１０の１ｋＷｈあたりの電気代の単価を掛けて予想電気代を算出し、図１２に示すように予想消費電力量又は近似予想消費電力量と共に、削減効果表１２０に表示する。
更に、ステップＳ２２で取得した外気温度、室内温度、エアコン設定温度のデータと、ステップＳ２４〜ステップＳ２８で取得した予想必要時間、予想消費電力量又は近似予想必要時間、近似予想消費電力量のデータと、ステップＳ３２で取得した予想消費電力量又は近似予想消費電力量のデータと、を用いて、アドバイス欄１３０を作成する。
このとき、ステップＳ３２で取得した予想消費電力量又は近似予想消費電力量から、ステップＳ２４〜ステップＳ２８で取得した予想消費電力量又は近似予想必要時間を引いてエアコン起動時に窓を開けたと仮定した場合に節約できる省電力量を算出し、更に、この省電力量に、その住宅１０の１ｋＷｈあたりの電気代の単価を掛けて予想節約電気代を算出し、図１２に示すように、これらの省電力量、予想節約電気代を、アドバイス欄１３０に表示する。
次いで、処理を終了する。
【０１０１】
室内温度−外気温度≧５℃でない場合（ステップＳ３３：ＮＯ）、室内温度は外気温度と同じか高いものの、５℃より低い範囲で高いものとして、ステップＳ３５で、室内温度−外気温度≧２℃か、即ち、室内温度が外気温度よりも２℃以上高いか判定する。
室内温度−外気温度≧２℃の場合（ステップＳ３５：ＹＥＳ）、室内温度は、外気温度よりも２℃以上、５℃未満の範囲で高く、エアコン２３起動前に窓を開けることにより省エネ効果が少し期待できるものとして、ステップＳ３６で、窓開けによる省エネ効果が少しある旨を示す不図示のパターン２のアドバイス画面を表示させる。
【０１０２】
不図示のパターン２のアドバイス画面は、図１２と同様の不図示の推移予測グラフ欄、削減効果表と、予測に基づいたアドバイスを文章で示す不図示のアドバイス欄と、を備えている。
不図示のアドバイス欄には、「室温の３５．５℃から設定温度（２８℃）になるまで１５分。予想消費電力量は１４０Ｗｈになります。外気温が３０．０℃のため、窓を一度開けて室内温度を下げることをおすすめします。室温を３０℃まで落とした場合、３２Ｗｈ（０．７４円）分節約できます。」等のアドバイスを表示する。
そして、ステップＳ３６では、ステップＳ２２で取得したエアコン起動時の外気温度、室内温度、エアコン設定温度のデータと、これらのデータを用いてステップＳ２４〜Ｓ２６で基本データテーブル７１から抽出されたレコードに対応する詳細データテーブル７３の室内温度の推移データと、ステップＳ２４〜ステップＳ２８で取得した予想必要時間、予想消費電力量又は近似予想必要時間、近似予想消費電力量のデータと、を用いて、図１２と同様の不図示の推移予測グラフ欄を作成する。
【０１０３】
また、ステップＳ２４〜ステップＳ２８で取得した予想消費電力量又は近似予想消費電力量のデータと、ステップＳ２９〜ステップＳ３２で取得した予想消費電力量又は近似予想消費電力量のデータと、を用いて、図１２と同様の不図示の削減効果表を作成する。
更に、ステップＳ２２で取得した外気温度、室内温度、エアコン設定温度のデータと、ステップＳ２４〜ステップＳ２８で取得した予想必要時間、予想消費電力量又は近似予想必要時間、近似予想消費電力量のデータと、ステップＳ３２で取得した予想消費電力量又は近似予想消費電力量のデータと、を用いて、不図示のアドバイス欄を作成する。
次いで、処理を終了する。
【０１０４】
室内温度−外気温度≧２℃でない場合（ステップＳ３５：ＮＯ）、室内温度は、外気温度よりも０℃以上、２℃未満の範囲で高く、エアコン２３起動前に窓を開けることによる省エネ効果が薄いものとして、ステップＳ３７で、窓開けによる省エネ効果はそれほど望めない旨を示す不図示のパターン３のアドバイス画面を表示させる。
【０１０５】
不図示のパターン３のアドバイス画面は、図１２と同様の不図示の推移予測グラフ欄、削減効果表と、予測に基づいたアドバイスを文章で示す不図示のアドバイス欄と、を備えている。
不図示のアドバイス欄には、「現在室温の３３．５℃から設定温度（２８℃）になるまでの予想消費電力は１４０Ｗｈになります。室温と外気温（３３．２℃）の差があまりないため、窓を開けても効果はあまり望めません。」等のアドバイスを表示する。
そして、ステップＳ３６では、ステップＳ２２で取得したエアコン起動時の外気温度、室内温度、エアコン設定温度のデータと、これらのデータを用いてステップＳ２４で基本データテーブル７１から抽出されたレコードに対応する詳細データテーブル７３の室内温度の推移データと、ステップＳ２４〜ステップＳ２８で取得した予想必要時間、予想消費電力量又は近似予想必要時間、近似予想消費電力量のデータと、を用いて、図１２と同様の不図示の推移予測グラフ欄を作成する。
【０１０６】
また、ステップＳ２４〜ステップＳ２８で取得した予想消費電力量又は近似予想消費電力量のデータと、ステップＳ２９〜ステップＳ３２で取得した予想消費電力量又は近似予想消費電力量のデータと、を用いて、図１２と同様の不図示の削減効果表を作成する。
更に、ステップＳ２２で取得した外気温度、室内温度、エアコン設定温度のデータと、ステップＳ２４〜ステップＳ２８で取得した予想必要時間、予想消費電力量又は近似予想必要時間、近似予想消費電力量のデータと、ステップＳ３２で取得した予想消費電力量又は近似予想消費電力量のデータと、を用いて、不図示のアドバイス欄を作成する。
次いで、処理を終了する。
【０１０７】
エアコン２３が起動されなかった場合(ステップＳ２１：ＮＯ)、ステップＳ３８で、エアコン２３が停止されたか判定する。エアコン２３の停止は、エアコン２３のスイッチが、ユーザによってオフにされ、分電盤３０において、該当するエアコン２３の分岐ブレーカ３２−ｉに流れていた電流が停止することにより検出される。
エアコン２３が停止された場合（ステップＳ３８：ＹＥＳ）、ステップＳ３９で、表示パネル２２、２３Ｐ上の表示をクリアする。つまり、エアコン２３が停止された後、ステップＳ４２で室内温度が、外気温度＋２℃より高くなったことが検出されるまでは、表示パネル２２、２３Ｐ上のアドバイス表示や、結果表示を行わない。
次いで、処理を終了する。
【０１０８】
エアコン２３が停止されなかった場合（ステップＳ３８：ＮＯ）、図１０のＢから図１３のＢを経てステップＳ４０に進み、エアコン２３が稼働中か判定する。
エアコン２３が稼働中でない場合（ステップＳ４０：ＮＯ）、エアコン２３が停止中であるとして、ステップＳ４１で、ホームサーバ２０に、外気温度、該当するエアコン２３の設置された部屋の室内温度、エアコン２３の電源が前回オフされた時点での設定温度を測定・送信するよう指令を出し、ホームサーバ２０から、これらの温度を取得する。このステップで取得する室内温度、エアコン２３の電源が前回オフされた時点での設定温度が、特許請求の範囲の停止中室内温度、直前設定温度に該当する。
このステップＳ４１では、指令を受けたホームサーバ２０が、データ収集プログラムを実行し、指令された温度データを収集して、システムサーバ６０に送信する。
【０１０９】
次いで、ステップＳ４２で、ステップＳ４１で取得した室内温度、外気温度のデータについて、室内温度−外気温度＞２℃か、即ち、室内温度が外気温度よりも高く、かつ、室内温度と外気温度との差が２℃より大きいか判定する。
室内温度−外気温度＞２℃でない場合（ステップＳ４２：ＮＯ）、エアコン２３停止後、室内温度は外気温度＋２℃よりも高くなっておらず、室内温度はまだそれほど上がっていないため、表示パネル２２、２３Ｐにアドバイスを表示する必要はないものとして、処理を終了する。
【０１１０】
室内温度−外気温度＞２℃である場合（ステップＳ４２：ＹＥＳ）、ステップＳ４３で、表示パネル２２、２３Ｐ上にアドバイスが表示されているか判定する。
表示パネル２２、２３Ｐ上にアドバイスが表示されていない場合（ステップＳ４３：ＮＯ）、エアコン２３停止後、室内温度が外気温度＋２℃よりも高くなっており、ユーザがエアコン２３の起動を考慮するほど室内温度が上がっているものとして、ステップＳ４５〜Ｓ５３で、エアコン２３使用のアドバイスに用いるためのデータを算出する。
ステップＳ４５では、基本データテーブル７１を、データＮｏの大きいレコードから順に、ステップＳ４１で取得した外気温度、室内温度、前回エアコンの電源がオフされた時点の設定温度の条件をキーとして検索し、基本データテーブル７１に、外気温度、開始室内温度、エアコン設定温度の条件が、ステップＳ４１で取得した外気温度、室内温度、前回エアコンの電源がオフされた時点の設定温度の条件と同一のレコードがあるか判定する。
【０１１１】
表示パネル２２、２３Ｐ上にアドバイスが表示されている場合（ステップＳ４３：ＹＥＳ）、ステップＳ４４で、アドバイス表示タイマがタイムアップしたか判定する。
アドバイス表示タイマがタイムアップしていない場合（ステップＳ４４：ＮＯ）、即ち、前回アドバイス表示タイマスタート後、アドバイス表示タイマの設定時間、本実施形態では５分が経過していない場合は、アドバイスの更新を行う必要がないとして、処理を終了する。
【０１１２】
アドバイス表示タイマがタイムアップしている場合（ステップＳ４４：ＹＥＳ）、即ち、前回アドバイス表示タイマスタート後、アドバイス表示タイマの設定時間、本実施形態では５分が経過しており、アドバイスの更新を行うタイミングであるとして、ステップＳ４５〜Ｓ５３で、エアコン２３使用のアドバイスに用いるためのデータを算出する。
ステップＳ４５では、基本データテーブル７１を、ステップＳ４１で取得した外気温度、室内温度、前回エアコンの電源がオフされた時点の設定温度の条件をキーとして、データＮｏの大きいレコードから順に検索し、基本データテーブル７１に、外気温度、開始室内温度、エアコン設定温度の条件が、ステップＳ４１で取得した外気温度、室内温度、前回エアコンの電源がオフされた時点の設定温度の条件と同一のレコードがあるか判定する。
【０１１３】
基本データテーブル７１に、外気温度、開始室内温度、エアコン設定温度の条件がステップＳ４１で取得した外気温度、室内温度、前回エアコンの電源がオフされた時点の設定温度の条件と同一となるレコードが、ない場合（ステップＳ４５：ＮＯ）、同一条件のレコードがないため、近似条件のレコードを探す必要があるとして、ステップＳ４６で、基本データテーブル７１に、外気温度、開始室内温度、エアコン設定温度が、｛ステップＳ４１で取得した外気温度±（０．１×ｘ）｝℃、｛ステップＳ４１で取得した室内温度±（０．１×ｘ）｝℃、｛ステップＳ４１で取得した前回電源オフ時点のエアコン設定温度±（０．１×ｘ）｝℃（但し、ｘ＝１）と同一となるレコードがあるか判定する。
【０１１４】
このステップでは、まず、外気温度、開始室内温度、エアコン設定温度が（ステップＳ４１で取得した外気温度＋０．１）℃、（ステップＳ４１で取得した室内温度＋０．１）℃、（ステップＳ４１で取得した前回電源オフ時点のエアコン設定温度＋０．１）℃と同一となるレコードが、基本データテーブル７１にあるか判定し、ある場合には、判定をＹＥＳとしてこのステップを終了する。ない場合には、外気温度、開始室内温度、エアコン設定温度が、（ステップＳ４１で取得した外気温度−０．１）℃、（ステップＳ４１で取得した室内温度−０．１）℃、（ステップＳ４１で取得した前回電源オフ時点のエアコン設定温度−０．１）℃と同一となるレコードが、基本データテーブル７１にあるか判定し、ある場合には判定をＹＥＳ、ない場合には判定をＮＯとして、このステップを終了する。
【０１１５】
基本データテーブル７１に、外気温度、開始室内温度、エアコン設定温度が｛ステップＳ４１で取得した外気温度±（０．１×ｘ）｝℃、｛ステップＳ４１で取得した室内温度±（０．１×ｘ）｝℃、｛ステップＳ４１で取得した前回電源オフ時点のエアコン設定温度±（０．１×ｘ）｝℃（但し、ｘ＝１）と同一となるレコードが、なかった場合（ステップＳ４６：ＮＯ）、ステップＳ４７で、｛ステップＳ４１で取得した外気温度±（０．１×ｘ）｝℃、｛ステップＳ４１で取得した室内温度±（０．１×ｘ）｝℃、｛ステップＳ４１で取得した前回電源オフ時点のエアコン設定温度±（０．１×ｘ）｝℃のｘを１繰り上げたｘ＋１とし、基本データテーブル７１に、外気温度、開始室内温度、エアコン設定温度が、｛ステップＳ４１で取得した外気温度±（０．１×ｘ）｝℃、｛ステップＳ４１で取得した室内温度±（０．１×ｘ）｝℃、｛ステップＳ４１で取得した前回電源オフ時点のエアコン設定温度±（０．１×ｘ）｝℃（但し、ｘ＝ｘ＋１）と同一となるレコードがあるか判定する。
【０１１６】
すなわち、ステップＳ４６で、外気温度、開始室内温度、エアコン設定温度が（ステップＳ４１で取得した外気温度±０．１）℃、（ステップＳ４１で取得した室内温度±０．１）℃、（ステップＳ４１で取得した前回電源オフ時点のエアコン設定温度±０．１）℃と同一となるレコードが、なかった場合、ステップＳ４１で取得した各温度に順次±０．２、±０．３のように、±０．１℃単位で数値を足していき、足して得た各温度の組合せと同一となるレコードが検出されるまで、ステップＳ４７を繰り返す。
このステップＳ４６、Ｓ４７により、ステップＳ４５で、ステップＳ４１で取得した各温度条件に合致するレコードが基本データテーブル７１になかった場合でも、最も近い温度条件のレコードを抽出することが可能となる。
【０１１７】
基本データテーブル７１に、外気温度、開始室内温度、エアコン設定温度が｛ステップＳ４１で取得した外気温度±（０．１×ｘ）｝℃、｛ステップＳ４１で取得した室内温度±（０．１×ｘ）｝℃、｛ステップＳ４１で取得した前回電源オフ時点のエアコン設定温度±（０．１×ｘ）｝℃（但し、ｘ＝ｘ＋１）と同一となるレコードが、あった場合（ステップＳ４７：ＹＥＳ）、ステップＳ４８で、このレコードから、設定温度になるまでに要した時間、消費電力量合計の値を、近似予想必要時間、近似予想消費電力量として取得する。
【０１１８】
基本データテーブル７１に、外気温度、開始室内温度、エアコン設定温度が｛ステップＳ４１で取得した外気温度±（０．１×ｘ）｝℃、｛ステップＳ４１で取得した室内温度±（０．１×ｘ）｝℃、｛ステップＳ４１で取得した前回電源オフ時点のエアコン設定温度±（０．１×ｘ）｝℃（但し、ｘ＝１）と同一となるレコードが、あった場合（ステップＳ４６：ＹＥＳ）、ステップＳ４８で、このレコードから、設定温度になるまでに要した時間、消費電力量合計の値を、近似予想必要時間、近似予想消費電力量として取得する。
その後、図１３のＣから図１４のＣを経てステップＳ５０に進み、（ステップＳ４１で取得した室内温度−０．５）℃の場合の予想必要時間、予想消費電力量を取得する。
【０１１９】
基本データテーブル７１に、外気温度、開始室内温度、エアコン設定温度の条件がステップＳ４１で取得した外気温度、室内温度、前回電源オフ時点のエアコン設定温度の条件と同一のレコードが、あった場合（ステップＳ４５：ＹＥＳ）、ステップＳ４９で、このレコードから、設定温度になるまでに要した時間、消費電力量合計の値を、予想必要時間、予想消費電力量として取得する。
【０１２０】
その後、図１３のＣから図１４のＣを経てステップＳ５０に進み、室内温度を（ステップＳ４１で取得した室内温度−０．５）℃とした場合の予想必要時間、予想消費電力量を取得する。この予想消費電力量が、特許請求の範囲の窓開け後仮定合計消費電力量に該当する。
このステップでは、ステップＳ４１で取得した外気温度、（ステップＳ４１で取得した室内温度−０．５）℃、ステップＳ４１で取得した前回電源オフ時点のエアコン設定温度の温度条件について、ステップＳ４５〜ステップＳ４９と同様の処理により、予想必要時間、予想消費電力量を取得する。
【０１２１】
具体的には、まず、基本データテーブル７１に、ステップＳ４１で取得した外気温度、（ステップＳ４１で取得した室内温度−０．５）℃、ステップＳ４１で取得した前回電源オフ時点のエアコン設定温度の温度条件と同一条件のレコードがあるか判定し、ある場合には、このレコードから、設定温度になるまでに要した時間、消費電力量合計の値を、予想必要時間、予想消費電力量として取得する。
また、同一条件のレコードがない場合には、これらの各温度に±０．１℃、±０．２℃、±０．３℃のように、±０．１℃単位で数値を足し、これらの数値を足した各温度の組合せと同一となるレコードが検出されるまで、±０．１℃単位で数値を足して各温度の組合せを得る処理と、各温度の組合せと同一となるレコードを基本データテーブル７１で検索する処理を繰り返す。各温度の組合せと同一となるレコードが検出されると、このレコードから、設定温度になるまでに要した時間、消費電力量合計の値を、近似予想必要時間、近似予想消費電力量として取得する。
【０１２２】
次いで、ステップＳ５１で、室内温度を（ステップＳ４１で取得した室内温度−１．０）℃とした場合の予想必要時間、予想消費電力量を取得する。この予想消費電力量が、特許請求の範囲の窓開け後仮定合計消費電力量に該当する。
このステップでは、ステップＳ４１で取得した外気温度、（ステップＳ４１で取得した室内温度−１．０）℃、ステップＳ４１で取得した前回電源オフ時点のエアコン設定温度の温度条件について、ステップＳ４５〜ステップＳ４９と同様の処理により、予想必要時間、予想消費電力量を取得する。
【０１２３】
具体的には、まず、基本データテーブル７１に、ステップＳ４１で取得した外気温度、（ステップＳ４１で取得した室内温度−１．０）℃、ステップＳ４１で取得した前回電源オフ時点のエアコン設定温度の温度条件と同一条件のレコードがあるか判定し、ある場合には、このレコードから、設定温度になるまでに要した時間、消費電力量合計の値を、予想必要時間、予想消費電力量として取得する。
また、同一条件のレコードがない場合には、これらの各温度に±０．１℃、±０．２℃、±０．３℃のように、±０．１℃単位で数値を足し、これらの数値を足した各温度の組合せと同一となるレコードが検出されるまで、±０．１℃単位で数値を足して各温度の組合せを得る処理と、各温度の組合せと同一となるレコードを基本データテーブル７１で検索する処理を繰り返す。各温度の組合せと同一となるレコードが検出されると、このレコードから、設定温度になるまでに要した時間、消費電力量合計の値を、近似予想必要時間、近似予想消費電力量として取得する。
【０１２４】
次いで、ステップＳ５２で、室内温度を（ステップＳ４１で取得した室内温度−１．５）℃とした場合の予想必要時間、予想消費電力量を取得する。この予想消費電力量が、特許請求の範囲の窓開け後仮定合計消費電力量に該当する。
このステップでは、ステップＳ４１で取得した外気温度、（ステップＳ４１で取得した室内温度−１．５）℃、ステップＳ４１で取得した前回電源オフ時点のエアコン設定温度の温度条件について、ステップＳ４５〜ステップＳ４９と同様の処理により、予想必要時間、予想消費電力量を取得する。
【０１２５】
具体的には、まず、基本データテーブル７１に、ステップＳ４１で取得した外気温度、（ステップＳ４１で取得した室内温度−１．５）℃、ステップＳ４１で取得した前回電源オフ時点のエアコン設定温度の温度条件と同一条件のレコードがあるか判定し、ある場合には、このレコードから、設定温度になるまでに要した時間、消費電力量合計の値を、予想必要時間、予想消費電力量として取得する。
また、同一条件のレコードがない場合には、これらの各温度に±０．１℃、±０．２℃、±０．３℃のように、±０．１℃単位で数値を足し、これらの数値を足した各温度の組合せと同一となるレコードが検出されるまで、±０．１℃単位で数値を足して各温度の組合せを得る処理と、各温度の組合せと同一となるレコードを基本データテーブル７１で検索する処理を繰り返す。各温度の組合せと同一となるレコードが検出されると、このレコードから、設定温度になるまでに要した時間、消費電力量合計の値を、近似予想必要時間、近似予想消費電力量として取得する。
ステップＳ５０〜Ｓ５２における０．５℃、１．０℃、１．５℃が、特許請求の範囲の所定温度に該当し、（室温−０．５℃）、（室温−１．０℃）、（室温−１．５℃）が、特許請求の範囲の窓開け後仮定室内温度に該当する。なお、本実施形態では、所定温度を０．５℃、１．０℃、１．５℃としているが、そのほかの温度としてもよい。
【０１２６】
次いで、ステップＳ５３で、室内温度をステップＳ４１で取得した外気温度とした場合の予想必要時間、予想消費電力量を取得する。この予想消費電力量が、特許請求の範囲の窓開け後仮定合計消費電力量に該当する。
このステップでは、ステップＳ４１で取得した外気温度、ステップＳ４１で取得した外気温度と同温の室内温度、ステップＳ４１で取得した前回電源オフ時点のエアコン設定温度の温度条件について、ステップＳ４５〜ステップＳ４９と同様の処理により、予想必要時間、予想消費電力量を取得する。
外気温度と同温の室内温度が、特許請求の範囲の窓開け後仮定室内温度に該当する。
【０１２７】
具体的には、まず、基本データテーブル７１に、ステップＳ４１で取得した外気温度、ステップＳ４１で取得した外気温度と同温の室内温度、ステップＳ４１で取得した前回電源オフ時点のエアコン設定温度の温度条件と同一条件のレコードがあるか判定し、ある場合には、このレコードから、設定温度になるまでに要した時間、消費電力量合計の値を、予想必要時間、予想消費電力量として取得する。
また、同一条件のレコードがない場合には、これらの各温度に±０．１℃、±０．２℃、±０．３℃のように、±０．１℃単位で数値を足し、これらの数値を足した各温度の組合せと同一となるレコードが検出されるまで、±０．１℃単位で数値を足して各温度の組合せを得る処理と、各温度の組合せと同一となるレコードを基本データテーブル７１で検索する処理を繰り返す。各温度の組合せと同一となるレコードが検出されると、このレコードから、設定温度になるまでに要した時間、消費電力量合計の値を、近似予想必要時間、近似予想消費電力量として取得する。
【０１２８】
次いで、ステップＳ５４で、室内温度−外気温度≧５℃か、即ち、室内温度が外気温度よりも５℃以上高いか判定する。
室内温度−外気温度≧５℃の場合（ステップＳ５４：ＹＥＳ）、室内温度が外気温度よりも５℃以上高く、エアコン２３起動前に窓を開けることによりかなり高い省エネ効果が期待できるものとして、ステップＳ５５で、窓開けによる省エネ効果が高い旨を示す図１２に示すパターン１のアドバイス画面１００を表示させる。
【０１２９】
アドバイス画面１００の詳細及びアドバイス画面を表示させるための詳細な処理は、ステップＳ３４と同様であるため、説明を省略する。但し、このステップＳ５５では、ステップＳ４１で取得した外気温度、室内温度、前回電源オフ時点のエアコン設定温度のデータと、これらのデータを用いてステップＳ４５〜Ｓ４７で抽出されたレコードに対応する詳細データテーブル７３の室内温度の推移データと、ステップＳ４５〜ステップＳ４９で取得した予想必要時間、予想消費電力量又は近似予想必要時間、近似予想消費電力量のデータと、を用いて、推移予測グラフ欄１１０を作成する。
【０１３０】
また、ステップＳ４５〜ステップＳ４９で取得した予想消費電力量又は近似予想消費電力量のデータと、ステップＳ５０〜ステップＳ５３で取得した予想消費電力量又は近似予想消費電力量のデータと、を用いて、削減効果表１２０を作成する。
更に、ステップＳ４１で取得した外気温度、室内温度、前回電源オフ時点のエアコン設定温度のデータと、ステップＳ４５〜ステップＳ４９で取得した予想必要時間、予想消費電力量又は近似予想必要時間、近似予想消費電力量のデータと、ステップＳ５３で取得した予想消費電力量又は近似予想消費電力量のデータと、を用いて、アドバイス欄１３０を作成する。
次いで、ステップＳ５７で、アドバイス表示タイマ（アドバイス表示タイマプログラム）をリセットすると共に作動開始される。このステップＳ５７とステップＳ４４とにより、アドバイス表示をアドバイス表示タイマの設定時間間隔で、本実施形態では５分間隔で行うことが可能となる。その後、処理を終了する。
【０１３１】
室内温度−外気温度≧５℃でない場合（ステップＳ５４：ＮＯ）、５℃＞室内温度−外気温度＞２℃、即ち、室内温度は外気温度に２℃を足した温度より高いものの、５℃より低い範囲で高いものとして、ステップＳ５６で、窓開けによる省エネ効果が少しある旨を示す不図示のパターン２のアドバイス画面を表示させる。
【０１３２】
不図示のパターン２のアドバイス画面は、図１２と同様の不図示の推移予測グラフ欄と、図１２と同様の不図示の削減効果表と、予測に基づいたアドバイスを文章で示す不図示のアドバイス欄と、を備えている。
不図示のアドバイス欄には、「室温の３５．５℃から設定温度（２８℃）になるまで１５分。予想消費電力量は１４０Ｗｈになります。外気温が３０．０℃のため、窓を一度開けて室内温度を下げることをおすすめします。室温を３０℃まで落とした場合、３２Ｗｈ（０．７４円）分節約できます。」等のアドバイスを表示する。
そして、ステップＳ５６では、ステップＳ４１で取得した外気温度、室内温度、前回電源オフ時点のエアコン設定温度のデータと、これらのデータを用いてステップＳ４５〜Ｓ４７で抽出されたレコードに対応する詳細データテーブル７３の室内温度の推移データと、ステップＳ４５〜ステップＳ４９で取得した予想必要時間、予想消費電力量又は近似予想必要時間、近似予想消費電力量のデータと、を用いて、図１２と同様の不図示の推移予測グラフ欄を作成する。
【０１３３】
また、ステップＳ４５〜ステップＳ４９で取得した予想消費電力量又は近似予想消費電力量のデータと、ステップＳ５０〜ステップＳ５３で取得した予想消費電力量又は近似予想消費電力量のデータと、を用いて、図１２と同様の不図示の削減効果表を作成する。
更に、ステップＳ４１で取得した外気温度、室内温度、前回電源オフ時点のエアコン設定温度のデータと、ステップＳ４５〜ステップＳ４９で取得した予想必要時間、予想消費電力量又は近似予想必要時間、近似予想消費電力量のデータと、ステップＳ５３で取得した予想消費電力量又は近似予想消費電力量のデータと、を用いて、不図示のアドバイス欄を作成する。
次いで、ステップＳ５７で、アドバイス表示タイマ（アドバイス表示タイマプログラム）をリセットすると共に作動開始される。このステップＳ５７とステップＳ４４とにより、アドバイス表示をアドバイス表示タイマの設定時間間隔で、本実施形態では５分間隔で行うことが可能となる。その後、処理を終了する。
【０１３４】
エアコン２３が稼働中である場合（ステップＳ４０：ＹＥＳ）、ステップＳ５８で、ホームサーバ２０に、該当するエアコン２３の設置された部屋の室内温度、該当するエアコン設定温度を測定・送信するよう指令を出し、ホームサーバ２０から、これらの温度を取得する。
このステップＳ５８では、指令を受けたホームサーバ２０が、データ収集プログラムを実行し、指令された温度データを収集して、システムサーバ６０に送信する。
【０１３５】
次いで、ステップＳ５９で、ステップＳ５８で取得した室内温度≦エアコン設定温度か判定する。
室内温度≦エアコン設定温度でない場合（ステップＳ５９：ＮＯ）、即ち、室内温度がエアコン設定温度よりも高い場合、エアコン２３が稼働中であるものの、室内温度が、エアコン２３起動後エアコン設定温度に向かって下がり続けている起動直後の温度低下中の時期にある可能性が高く、図１２のパターン１のアドバイス画面１００、不図示のパターン２、パターン３のアドバイス画面で表示した予想消費電力量と、実際の予想消費電力量の結果とを比較する不図示の比較結果画面を表示するタイミングに達していないものとして、処理を終了する。
【０１３６】
室内温度≦エアコン設定温度である場合（ステップＳ５９：ＹＥＳ）、即ち、室内温度がエアコン設定温度と同じかそれより低い場合、ステップＳ６０で、不図示の比較結果画面を表示パネル２２、２３Ｐに表示中か判定する。
不図示の比較結果画面を表示パネル２２、２３Ｐに表示中の場合（ステップＳ６０：ＹＥＳ）、室内温度が、エアコン設定温度付近の一定温度に維持される定常温度状態の時期にあり、既に室内温度がエアコン設定温度に達して不図示の比較結果画面が表示パネル２２、２３Ｐに表示されており、改めて比較結果画面を表示パネル２２、２３Ｐに表示する必要がないとして、処理を終了する。
【０１３７】
不図示の比較結果画面を表示パネル２２、２３Ｐに表示中でない場合（ステップＳ６０：ＮＯ）、室内温度が、エアコン２３起動後エアコン設定温度に向かって下がり続けている起動直後の温度低下中の時期から、室内温度が、エアコン設定温度付近の一定温度に維持される定常温度状態の時期に移行する境界の時期にあり、まだ不図示の比較結果画面が表示パネル２２、２３Ｐに表示されていないため、ステップＳ６１で、不図示の比較結果画面を表示パネル２２、２３Ｐに表示する。
【０１３８】
このステップでは、まず、その時点で表示パネル２２、２３Ｐに表示されているパターン１のアドバイス画面、又はパターン２又は３の不図示のアドバイス画面のデータを取得する。
次いで、システムサーバ６０のＨＤＤに格納された詳細データベース７２に、該当するユーザＩＤ、エアコンＮｏを付して登録された最新の詳細データテーブル７３を抽出する。
ステップＳ６０でＮＯと判定される時点は、室内温度が、エアコン２３起動後エアコン設定温度に向かって下がり続けている起動直後の温度低下中の時期から、室内温度が、エアコン設定温度付近の一定温度に維持される定常温度状態の時期に移行する境界の時期であるが、詳細データベース７２から抽出されるこの最新の詳細データテーブル７３は、該当するエアコン２３に関するデータであって、この境界の時期の直前に取得されたものである。
【０１３９】
その後、直前にアドバイス画面に表示されていた図１２の推移予測欄１１０と同様のグラフと、削減効果表１２０と、詳細データベース７２から抽出された最新の詳細データテーブル７３を用いて作成された図１２の推移予測欄１１０と同様の形式の結果グラフと、詳細データベース７２から抽出された最新の詳細データテーブル７３を用いて算出された実際の開始室内温度、消費電力量とを含む不図示の比較結果画面を表示パネル２２、２３Ｐに表示する。
その後処理を終了する。
以上で、図１０、図１１、図１３、図１４のフローチャートの処理を終了する。
【符号の説明】
【０１４０】
１  インターネット
１０  住宅
２０  ホームサーバ
２１  ホームネットワーク
２２、２３Ｐ  表示パネル
２３  エアコン
２３Ｒ  リモコン
２４  温度センサ
２４ａ  室内温度センサ
２４ｂ  外気温度センサ
２５  情報コンセントボックス
２６  コンセントプレート
２６ａ  取付孔
２７  本体
２７ａ  面
２７ｂ  引き込み孔
２８  温度センサ支持体
２８ａ  室外端部
２９  ケーブル
２９ａ  室内温度ケーブル
２９ｃ  室外温度ケーブル
３０  分電盤
３１  主幹ブレーカ
３２−１〜３２−ｎ、３２−ｉ  分岐ブレーカ
３３−１〜３３−ｎ  電流センサ
３４−１〜３４−ｎ  アドレス検出部
３６、２０１  ＣＰＵ
３７  記憶手段
３５−１〜３５−ｎ  処理部
５０  情報提供会社
５１  イントラネット
６０  システムサーバ
７０  データベース
７１  基本データテーブル
７２  詳細データベース
７３  詳細データテーブル
８０  端末コンピュータ
１００  アドバイス画面
１１０  推移予測グラフ欄
１２０  削減効果表
１３０  アドバイス欄
２０２  ＲＡＭ
２０３  ＲＯＭ
２０４  ＨＤＤ
２０５  記憶媒体装置
２０６  通信装置
２０７  キーボード
２０８  マウス
２０９  表示装置
２１０  プリンタ
Ｗａ  外壁
Ｗｂ  内壁
【図１】
0005492670.tif 000002
【図２】
0005492670.tif 000003
【図３】
0005492670.tif 000004
【図４】
0005492670.tif 000005
【図５】
0005492670.tif 000006
【図６】
0005492670.tif 000007
【図７】
0005492670.tif 000008
【図８】
0005492670.tif 000009
【図９】
0005492670.tif 000010
【図１０】
0005492670.tif 000011
【図１１】
0005492670.tif 000012
【図１２】
0005492670.tif 000013
【図１３】
0005492670.tif 000014
【図１４】
0005492670.tif 000015